(57)【要約】      （修正有）【課題】高さ調節可能なインサート及び関連する方法に関する。【解決手段】二部品構成の高さ調節可能インサート５０が、サンドイッチパネル１２の孔２０内に取り付けられ、高さ調節可能インサートは、サンドイッチパネルに負荷を伝達するように構成されている。高さ調節可能インサートは、互いに対して機能的に選択配置される第１インサート部品５２及び第２インサート部品５４を含む。高さ調節可能インサートは、第２インサート部品の第２フランジ部７２を第１インサート部品の第１フランジ部５８に向かって移動させることにより、第１インサート部品と第２インサート部品とが締り嵌め状態で係合し、これにより、選択された高さまで、高さ調節可能インサートの全高を減らすことができるように構成されている。高さ調節可能インサートは、サンドイッチパネルに対して面一の取り付けが行えるように構成される。【選択図】図５
2017172792.tif 000002
【特許請求の範囲】
【請求項１】
第１インサート部品及び第２インサート部品を含む高さ調節可能インサートであって、
前記第１インサート部品は、
第１上面及び第１下面を有する第１フランジ部と、
前記第１フランジ部の前記第１上面から延びる第１ネック部と、
少なくとも前記第１ネック部を貫通して延びるとともに、前記第１ネック部の第１内面によって少なくとも一部が規定された第１穴とを含み、前記第１ネック部は、前記第１内面の反対側の第１外面を含み、
前記第２インサート部品は、
第２上面及び第２下面を有する第２フランジ部と、
前記第２フランジ部の前記第２下面から延びる第２ネック部と、
前記第２ネック部及び前記第２フランジ部を貫通して延びるとともに、前記第２ネック部の第２内面によって一部が規定された第２穴と、
前記第２フランジ部の前記第２上面に隣接する位置に設けられた、前記第２フランジ部から延びる複数の径方向延出突起と、を含み、前記複数の径方向延出突起は、前記第２フランジ部の周縁に、互いに離間して設けられており、前記複数の径方向延出突起のうちの少なくともいくつかは、前記第２フランジ部の高さの半分未満に沿って延びており、
前記第２インサート部品は、前記第２ネック部の前記第２内面が、前記第１ネック部の前記第１外面と締り嵌め状態で係合するように、前記第１インサート部品に対して機能的に選択配置されるように構成されており、前記高さ調節可能インサートは、選択的に全高を調節可能であり、前記第２フランジ部が前記第１フランジ部に向かって移動するように前記第２インサート部品を前記第１インサート部品に対して移動させると、前記高さ調節可能インサートの全高が低くなるように構成とされており、前記高さ調節可能インサートの前記全高は、前記第２フランジ部の前記第２上面と前記第１フランジ部の前記第１下面との間の垂直距離として規定されており、前記第２インサート部品が前記第１インサート部品に対して機能的に配置されると、前記第１穴と前記第２穴とが、少なくとも実質的に同心状となる、高さ調節可能インサート。
【請求項２】
前記高さ調節可能インサートは、サンドイッチパネルの孔内に取り付けられるように構成されており、前記高さ調節可能インサートは、前記高さ調節可能インサートが前記サンドイッチパネルの前記孔内に挿入され、前記孔にポッティング剤が注入された後における、前記サンドイッチパネルに対する前記高さ調節可能インサートの回転を防止するように構成された回転防止部をさらに含む、請求項１に記載の高さ調節可能インサート。
【請求項３】
前記回転防止部は、テクスチャー加工面を含み、前記テクスチャー加工面は、前記第２インサート部品の前記第２ネック部の少なくとも一部を形成している、請求項２に記載の高さ調節可能インサート。
【請求項４】
前記第１穴は、前記第１フランジ部を貫通して延びている、請求項１〜３のいずれかに記載の高さ調節可能インサート。
【請求項５】
複数の径方向延出突起における各径方向延出突起は、其々の最大幅及び高さを有しており、前記複数の径方向延出突起のうちの少なくともいくつかは、最大幅が高さより大きい、請求項１〜４のいずれかに記載の高さ調節可能インサート。
【請求項６】
前記高さ調節可能インサートは、サンドイッチパネルの孔内に取り付けられるように構成されており、前記サンドイッチパネルは、第１外板、前記第１外板の反対側の第２外板、及び、これらの間のコアを含み、前記高さ調節可能インサートは、前記第２インサート部品が前記第１インサート部品に対して機能的に配置されるとともに、前記高さ調節可能インサートが前記サンドイッチパネルの前記孔に取り付けられた際に、複数の径方向延出突起が、前記サンドイッチパネルの前記第１外板及び前記第２外板のうちの一方に係合するように構成されている、請求項１〜５のいずれかに記載の高さ調節可能インサート。
【請求項７】
前記高さ調節可能インサートは、前記第２インサート部品が前記第１インサート部品に対して機能的に配置されるとともに、前記高さ調節可能インサートが前記サンドイッチパネルの前記孔に取り付けられた際に、前記第２フランジ部の前記第２上面が、前記サンドイッチパネルの前記第１外板及び前記第２外板のうちの一方と少なくとも実質的に面一となるように構成されている、請求項６に記載の高さ調節可能インサート。
【請求項８】
前記複数の径方向延出突起は、前記第２インサート部品が前記第１インサート部品に対して機能的に配置されるとともに、前記高さ調節可能インサートが前記サンドイッチパネルの前記孔に取り付けられた際に、前記第２フランジ部の前記第２上面が、前記サンドイッチパネルの前記第１外板及び前記第２外板のうちの一方に対して、面一状態より低い位置に配置されるのを防止するように構成されている、請求項６に記載の高さ調節可能インサート。
【請求項９】
前記第２フランジ部は、前記第２フランジ部の前記第２上面に隣接する位置における第１直径が、前記第２フランジ部の前記第２下面に隣接する位置における第２直径より大きくなるように、テーパー状となっている、請求項１〜８のいずれかに記載の高さ調節可能インサート。
【請求項１０】
前記第２フランジ部の前記第２上面に隣接する位置における前記第１直径は、前記高さ調節可能インサートが取り付けられるサンドイッチパネル内の孔の孔径よりわずかに小さい、請求項９に記載の高さ調節可能インサート。
【請求項１１】
前記複数の径方向延出突起の各々は、突起上面及び傾斜面を有し、前記突起上面は、前記第２フランジ部の前記第２上面に対して少なくとも実質的に平行であり、前記突起上面は、前記傾斜面とともに、突起角度を形成しており、前記突起角度は鋭角である、請求項１〜１０のいずれかに記載の高さ調節可能インサート。
【請求項１２】
前記高さ調節可能インサートは、一旦前記第１インサート部品及び前記第２インサート部品の少なくとも一部がサンドイッチパネルの孔に挿入された後に、前記高さ調節可能インサートの前記全高を調節できるように構成されている、請求項１〜１１のいずれかに記載の高さ調節可能インサート。
【請求項１３】
サンドイッチパネルに形成された孔に高さ調節可能インサートを取り付ける方法であって、前記孔内に高さ調節可能インサートを取り付けることと、前記高さ調節可能インサートの高さを調節することと、を含み、
前記高さ調節可能インサートは、第１インサート部品及び第２インサート部品を含み、
前記第１インサート部品は、
第１上面及び第１下面を有する第１フランジ部と、
前記第１フランジ部の前記第１上面から延びる第１ネック部と、
少なくとも前記第１ネック部を貫通して延びるとともに、前記第１ネック部の第１内面によって少なくとも一部が規定された第１穴とを含み、前記第１ネック部は、前記第１内面の反対側の第１外面を含み、
前記第２インサート部品は、
第２上面及び第２下面を有する第２フランジ部と、
前記第２フランジ部の前記第２下面から延びる第２ネック部と、
前記第２ネック部及び前記第２フランジ部を貫通して延びるとともに、前記第２ネック部の第２内面によって一部が規定された第２穴と、
前記第２フランジ部の前記第２上面に隣接する位置に設けられた、前記第２フランジ部から延びる複数の径方向延出突起と、を含み、前記複数の径方向延出突起は、前記第２フランジ部の周縁に、互いに離間して設けられており、前記複数の径方向延出突起のうちの少なくともいくつかは、前記第２フランジ部の高さの半分未満に沿って延びており、前記第２インサート部品は、前記第２ネック部の前記第２内面が、前記第１ネック部の前記第１外面と締り嵌め状態で係合するように、前記第１インサート部品に対して機能的に選択配置されるように構成されており、前記高さ調節可能インサートは、前記高さ調節可能インサートの前記第１ネック部の少なくとも一部及び前記第２ネック部の少なくとも一部が前記サンドイッチパネルの前記孔内に位置するように、前記孔内に取り付けられ、
前記高さ調節可能インサートの高さを調節するに際して、前記高さ調節可能インサートの前記複数の径方向延出突起が前記サンドイッチパネルに係合するとともに、前記第２フランジ部の前記第２上面が前記サンドイッチパネルの外面と少なくとも実質的に面一となるまで、前記高さ調節可能インサートの高さを調節する、方法。
【請求項１４】
前記サンドイッチパネルに複数の孔を形成することをさらに含み、前記サンドイッチパネルは、第１内面及びその反対側の第１外面を有する第１外板と、第２内面及びその反対側の第２外面を有する、前記第１外板の反対側の第２外板と、コアとを有し、前記第１外面と前記第２外面とは互いに反対側を向いており、前記コアは、前記第１外板の前記第１内面と前記第２外板の前記第２内面との間に挟まれており、前記複数の孔を形成するに際して、前記第１外板及び前記第２外板のうちの少なくとも一方を貫通して前記コア内に延びるように、前記複数の孔を形成し、前記少なくとも１つの高さ調節可能インサートを取り付けることは、複数の高さ調節可能インサートを取り付けることを含み、その際に、前記複数の高さ調節可能インサートの各々が、前記複数の孔の各々に取り付けられるようにする、請求項１３に記載の方法。
【請求項１５】
前記高さ調節可能インサートを前記孔に取り付けるに際して、前記第１ネック部が、前記サンドイッチパネルの第１外板に向かって前記孔内を延びるように、前記第１フランジ部を前記サンドイッチパネルの第２外板に隣接させて配置し、前記第１インサート部品の前記第１フランジ部と第２インサート部品の前記第２フランジ部との間に前記第２ネック部が位置するように、前記第２インサート部品を配置する、請求項１３に記載の方法。
【請求項１６】
前記高さ調節可能インサートを前記孔に取り付けるに際して、まず、前記第１インサート部品を前記孔に挿入し、次に、前記第２ネック部の前記第２内面の少なくとも一部が前記第１ネック部の前記第１外面上に位置するように、且つ、前記第１穴と前記第２穴とが実質的に同心状となるように、前記第２インサート部品を前記孔に挿入する、請求項１３〜１５のいずれかに記載の方法。
【請求項１７】
前記高さ調節可能インサートの前記高さを調節するに際して、前記複数の径方向延出突起が、前記サンドイッチパネルの第１外板及び第２外板のうちの一方に圧入されるまで、前記高さ調節可能インサートの前記高さを調節する、請求項１３〜１６のいずれかに記載の方法。
【請求項１８】
前記高さ調節可能インサートの前記高さを調節するに際して、前記第２フランジ部を、前記第１フランジ部に向かって相対移動させ、前記第１ネック部と前記第２ネック部とを締り嵌め状態で係合させる、請求項１３〜１７のいずれかに記載の方法。
【発明の詳細な説明】
【技術分野】
【０００１】
本開示は、高さ調節可能なインサート及び関連する方法に関する。
【背景技術】
【０００２】
サンドイッチパネル（例えば、２つの材料層すなわち外板の間に、コア構造体を挟んだもの）は、比強度が高いため、航空機の製造によく用いられる。航空機内のサンドイッチパネルの位置及び用途によっては、サンドイッチパネルに１つ又は複数の他の構造体や留め具を取り付けるために、サンドイッチパネルに１つ又は複数の円形インサートを挿入又は挿通させる必要が生じる場合がある。円形のインサートを用いることによって、（例えば、ピン、ボルト、ねじ、ジョイント、又は他の構造物を介して）サンドイッチパネルに局所的負荷を伝達することができ、これによって、サンドイッチパネルを別の構造体に固定したり、複数のサンドイッチパネルを互いに連結したり、１つ又は複数の外部の物体をサンドイッチパネルに取り付けたりすることができる。例えば、円形インサートを、ピン、ボルト、又はその他の留め具を中に挿入できる構成とすることによって、別のパネルや物体を、円形インサートを介して、サンドイッチパネルに固定することができる。航空宇宙産業においては、このようなサンドイッチパネル及び円形インサートを用いて、航空機の内部の主要構造体及び／又は二次構造体を組み立てたり、フロアボード、壁パネル、調理室、荷物入れ、頭上荷物棚、トイレ、及び／又は、航空機内の他の構造体を形成したりする場合がある。このようなサンドイッチパネル及び円形インサートは、他の産業においても使用される。
【０００３】
図１及び図２は、サンドイッチパネル１１内に取り付けられた従来の円形インサート１０を、概略的に断面図で示したものである。サンドイッチパネル１１は、第１外板１５と第２外板１７との間に挟まれたコア１３を含む。第１外板１５及び第２外板１７は、剛性又は半剛性の外板であり、通常、軽量の材料によって形成されるコア１３に比べて、比較的薄い。従来の円形インサート１０は、サンドイッチパネル１１に形成された円形の孔１９に挿入することができる。この孔は、例えば止まり孔２１（図１）又は貫通孔２３（図２）である。止まり孔２１は、外板のうちの一方（例えば図１に示す第１外板１５）を貫通して他方の外板（例えば第２外板１７）に向かってコア１３内に延び、貫通孔２３は、第１外板１５、第２外板１７及びコア１３の全体を貫通して延びる。図１及び図２に示すように、従来の円形インサート１０のフランジ部２７は、第１外板１５及び第２外板１７のうちの一方又は両方と実質的に面一である。あるいは、図３に示すように、従来の円形インサート１０のフランジ部２７は、第１外板１５又は第２外板１７の上に（例えばその外面上に）位置させる場合もある。
【０００４】
従来の手法では、ポッティング剤（potting compound）又はエポキシなどの接着剤を、従来の円形インサート１０に設けたポッティング穴又は開口から注入し、従来の円形インサート１０とサンドイッチパネル１１のコア１３との間の隙間又は空間２９を埋める。接着剤は、いったん完全に硬化すると、サンドイッチパネル１１の穴１９内の所定位置にインサートを固定する働きをし、接着剤がいったん乾燥、固化、及び／又は硬化した後は、サンドイッチパネル１１に対する従来の円形インサート１０の相対移動を実質的に防止し、円形孔１９内に従来の円形インサート１０を保持する（例えば、従来の円形インサート１０の抜け、回転、及び横方向移動を阻止する）ように構成されている。
【０００５】
しかしながら、サンドイッチパネル及び孔のサイズは様々であるため、従来のインサートでは、多くの様々なサイズのものが必要である。間違ったインサートを選択したり、必要なサイズの判定を誤ったりしたために、不適切なサイズのインサートを孔に取り付けることがしばしばある。例えば、サンドイッチパネルの片面側にしかアクセスできない状況では、サンドイッチパネルの厚みを測定して、正しいインサートのサイズを判定することは難しいであろう。間違ったインサートを取り付けると、分解や再加工にかなりの費用がかかることになる。また、所与のサンドイッチパネルや装置に取り付けなければならないインサートの数が多いため、寸法が合わず、製造中に特定のサイズが不足することが多々ある。従来の解決策の中には、高さ調節可能なインサートもあるが、これらの従来のインサートは、（図３に示したフランジ部２７のような）サンドイッチパネルの表面の上に位置するフランジを含むものであり、このため、インサートがパネルと面一にならない。これらの従来技術のインサートは、当技術分野における何らかの問題に対処するかもしれないが、面一の取り付けが必要な用途には適していない。従来のインサート、及び、インサートをサンドイッチパネル内に取り付ける方法におけるこれらの問題は、様々な産業において、現在も続いており、厄介なものとなっている。
【発明の概要】
【０００６】
本開示の高さ調節可能インサート及び関連する方法（例えば、サンドイッチパネルにこのようなインサートを１つ又は複数の取り付けたり、当該高さ調節可能インサートの高さを調節する方法）は、従来のインサート及び関連する方法の１つ又は複数の問題点に対処するものである。例えば、本開示による高さ調節可能インサートの一例は、第１インサート部品及び第２インサート部品を含みうる。第１インサート部品は、第１上面及び第１下面を有する第１フランジ部と、前記第１フランジ部の前記第１上面から延びる第１ネック部と、少なくとも前記第１ネック部を貫通して延びるとともに、前記第１ネック部の第１内面によって少なくとも一部が規定されている第１穴と、を含みうる。前記第１ネック部は、前記第１内面の反対側の第１外面をさらに含みうる。第２インサート部品は、第２上面及び第２下面を有する第２フランジ部と、前記第２フランジ部の前記第２下面から延びる第２ネック部と、前記第２ネック部及び第２フランジ部を貫通して延びるとともに、前記第２ネック部の第２内面によって一部が規定されている第２穴と、を含みうる。
【０００７】
前記第２インサート部品は、前記第２ネック部の前記第２内面が、前記第１ネック部の前記第１外面と締り嵌め状態（interference fit）で係合するように、前記第１インサート部品に対して機能的に選択配置されるように構成されうる。前記高さ調節可能インサートは、選択的に全高を調節可能であり、前記第２フランジ部が前記第１フランジ部に向かって移動するように前記第２インサート部品を前記第１インサート部品に対して移動させると、前記高さ調節可能インサートの全高が低くなるように構成することができる。また、前記第２インサート部品が前記第１インサート部品に対して機能的に配置されると、前記第１穴と前記第２穴とが、少なくとも実質的に同心状となりうる。従来のインサートとは異なり、本開示の高さ調節可能インサートは、サンドイッチパネルの両側にアクセスしなくても、面一の取り付けができるように構成されうる。
【０００８】
このような高さ調節可能インサートは、本開示の方法により、サンドイッチパネルの孔に取り付けられるように構成されうる。サンドイッチパネルは、第１外板、第２外板の反対側の第２外板、及び、これらの間のコアを含みうる。サンドイッチパネルの各孔に高さ調節可能インサートを取り付ける方法は、高さ調節可能インサートの第１ネック部の少なくとも一部及び第２ネック部の少なくとも一部が、サンドイッチパネルのコア内の各孔内に位置するように、高さ調節可能インサートを取り付けることと、高さ調節可能インサートの複数の径方向延出突起がサンドイッチパネルに係合するまで、及び／又は、第２フランジ部の第２上面がサンドイッチパネルと少なくとも実質的に面一となるまで、高さ調節可能インサートの高さを調節することと、を含みうる。高さ調節可能インサートの高さは、例えば、前記第１インサート部品に対して前記第２インサート部品を移動させて、前記第２フランジ部を前記第１フランジ部に向かって移動させることにより、前記第１インサート部品と前記第２インサート部品とを締り嵌め状態で係合させ、高さ調節可能インサートの全高を低くすることによって、調節することができる。
【図面の簡単な説明】
【０００９】
【図１】サンドイッチパネルに形成された止まり孔内に配置された従来のインサートであり、サンドイッチパネルの外板と面一になっているインサートの概略断面図である。
【図２】サンドイッチパネルに形成された貫通孔内に配置された従来のインサートであり、サンドイッチパネルの外板と面一になっているインサートの概略断面図である。
【図３】サンドイッチパネルに対して配置された従来のインサートの概略断面図である。
【図４】本開示による１つ又は複数のインサートを含む１つ又は複数のサンドイッチパネルを含みうる装置の、例示的且つ非排他的な例の概略斜視図である。
【図５】本開示による、サンドイッチパネルの孔内に配置された高さ調節可能インサートの例示的且つ非排他的な例の概略図である。
【図６】本開示による高さ調節可能インサートの第１インサート部品の立面図である。
【図７】本開示による高さ調節可能インサートの第２インサート部品の立面図である。
【図８】図６の第１インサート部品に対して機能的に配置された図７の第２インサート部品の立面図である。
【図９】図８の線９−９に沿う、最大全高を有する状態の高さ調節可能インサートの断面図である。
【図１０】最小全高を有する状態の、図９の高さ調節可能インサートの断面図である。
【図１１】本開示による高さ調節可能インサートの第２インサート部品の平面図である。
【図１２】図７の第２インサート部品の一部の詳細図である。
【図１３】本開示による高さ調節可能インサートのシステムの例示的且つ非排他的な例の概略図である。
【図１４】本開示による、１つ又は複数の高さ調節可能インサートを取り付けて高さを調節する方法を表す概略フローチャートである。
【発明を実施するための形態】
【００１０】
図４を参照すると、本開示による１つ又は複数の高さ調節可能インサート５０は、１つ又は複数のサンドイッチパネル１２に取り付けることができる。（サンドイッチパネルは、例えば、図１〜図３に示したサンドイッチパネル１１に類似した構造のものである。）例えば、１つ又は複数の高さ調節可能インサート５０を含むこのようなサンドイッチパネル１２は、航空宇宙、自動車、電子、建設、軍事、レクリエーション、及び／又は、モータースポーツ産業において有用である。図４では、概して１つ又は複数のサンドイッチパネル１２及び高さ調節可能インサート５０を含む装置２８の一例を、航空機３０の形態で示している。航空機３０は、任意の適当な形態のものであってよく、これには、例えば、民間航空機、軍用機、又は他の任意の適当な航空機が含まれる。図４は、固定翼機の形態の航空機３０を示しているが、他のタイプ及び形態の航空機も本開示による航空機３０の範囲内であり、これには、（限定するものではないが）回転翼機及びヘリコプターが含まれる。
【００１１】
装置２８（例えば航空機３０）は、１つ又は複数のサンドイッチパネル１２から形成された１つ又は複数の構造体３２を含む場合があり、サンドイッチパネルのうちの１つ又は複数は、複合パネルでありうる。図５に示すように、各サンドイッチパネル１２は、典型的には六角形又は矩形の断面を有する複数の長状のセルなど、比較的軽量の材料によって形成されたコア１４を含む。このようなコア１４は、ハニカムコアと呼ばれることがある。ただし、波形構造や発泡材料などの他の形状及び構成も、用いることができる。コア１４は、連続気泡構造及び／又は独立気泡構造を含みうる。コア１４は、発泡体、アルミニウム、ノーメックス［登録商標］（アラミド）、炭素、コレックス（Korex）、ケブラー［登録商標］、ガラス繊維、ポリエーテルスルホン、ポリ塩化ビニル、ポリウレタン、ポリエチレンフォーム、ポリスチレンフォーム、バルサ材、シンタクチックフォーム、ハニカム構造体、ポリマーハニカム、熱可塑性ハニカム、ステンレス鋼、ポリカーボネート、及び／又はポリプロピレンによって形成することができる。
【００１２】
サンドイッチパネル１２は、少なくとも２つの外板を含み、第１外板１６は、コア１４の一方側に設けられ、第２外板１８はコア１４の他方側（反対側）に設けられ、３層サンドイッチ構造を形成する配置となっている。第１外板１６は、第１外側パネル面３１と、第１外側パネル面３１の反対側の第１内側パネル面３３とを含む。第２外板１８は、第２外側パネル面３５と、第２外側パネル面３５の反対側の第２内側パネル面３７とを含む。コア１４は、概して、第１内側パネル面３３と第２内側パネル面３７との間に延びており、第１外側パネル面３１及び第２外側パネル面３５は、サンドイッチパネル１２の外面を形成している。パネル外板（例えば、第１外板１６及び第２外板１８）は、通常、剛性であり、これらの外板の間にコア１４が延びている。第１外板１６及び第２外板１８は、ガラス繊維強化ポリマーの積層体、炭素繊維強化ポリマーの積層体、熱硬化性ポリマー、エポキシ、金属薄板、炭素、アラミド、アルミニウム、鋼、合板、バルサ、チーク材、及び／又は硬材によって形成することができる。第１外板１６と第２外板１８とは、いくつかの実施例においては同じ材料によって形成してもよいし、他の実施例において、異なる材料によって形成してもよい。
【００１３】
再び図４を参照すると、構造体３２は、１つ又は複数のサンドイッチパネル１２、２つ以上のサンドイッチパネル１２の間に形成されたジョイント部、及び／又は、１つ又は複数のサンドイッチパネル１２を用いて形成された３次元構造体を含む。例示的且つ非排他的な例として、構造体３２は、主翼３４、胴体３６、水平尾翼３８、頭上荷物棚４０、垂直安定板４２、及び、エンジンハウジング４４などの航空機構造体に用いることができる。ただし、航空機３０の他のコンポーネントも、付加的又は代替的に、サンドイッチパネル１２及び／又は２つ以上のサンドイッチパネル１２の間のジョイント部などの構造体３２を含んでいてもよい。本開示による１つ又は複数の高さ調節可能インサート５０を含むサンドイッチパネル１２の、航空機３０における他の用途には、床パネル、内部壁、食品調理室アセンブリ、翼制御面、乗客用収納ラック、推力偏向装置アセンブリ、カプセルパネル、ノーズコーン（nose cone）用アブレーティブシールド（ablative shields）、計器エンクロージャ（enclosure）ならびにシェルフ、及び、隔壁パネルが含まれる。他の産業において、（１つ又は複数のサンドイッチパネル１２及び高さ調節可能インサート５０を含む）装置２８は、例えば、宇宙衛星、電子レードーム構造、輸送車両、輸送コンテナ、シェルター、大型アンテナ又は円板反射体、冷凍パネル、高速輸送フロアパネル、船上電子デッキシェルター、貨物パレット、自動車車体、建築カーテンウォール、パーティション、分割パネル、拡張可能病院シェルター、及び/又は、アセンブリの内部構造を含むか、又はその一部であってもよい。
【００１４】
次に、図５を参照すると、同図には、サンドイッチパネル１２の孔２０内に取り付けられた状態の高さ調節可能インサート５０の例を、概略的に示している。概して、図面において、所与の実施例におそらく含まれる要素は、実線で示す一方、所与の実施例において任意である要素は、破線で示している。ただし、実線で示した要素が本開示のすべての実施例に必須というわけではなく、本開示の範囲から逸脱することなく、実線で示した要素を特定の実施例から省くこともできる。
【００１５】
概して、高さ調節可能インサート５０は、２つの部分からなるインサートであり、第１インサート部品５２及び第２インサート部品５４を有する。第２インサート部品５４は、第１インサート部品５２に対して機能的に選択配置されて、サンドイッチパネル１２の孔２０内に取り付けられるように構成されている。高さ調節可能インサート５０の全高５６は、以下により詳しく説明するように、第１インサート部品５２に対して第２インサート部品５４を移動させるなどによって、選択的に調節することができる。このようにして、高さ調節可能インサート５０の高さ５６を選択的に調節することによって、高さ調節可能インサート５０がサンドイッチパネル１２の外面（例えば第１外側パネル面３１又は第２外側パネル面３５）と少なくとも実質的に面一となるように、取り付けることができる。
【００１６】
第１インサート部品５２は、第１上面６０及び第１下面６２を有する第１フランジ部５８、第１フランジ部５８の第１上面６０から延びる第１ネック部６４、及び、少なくとも第１ネック部６４を貫通して延びる第１穴６６を含む。第１穴６６の少なくとも一部は、第１ネック部６４の第１内面６８によって規定されている。いくつかの例において、第１穴６６は、第１ネック部６４に加えて第１フランジ部５８も貫通し、第１インサート部品５２全体を貫通して延びる構成であってもよい。いくつかの例において、破線７０で示すように、第１穴６６は、第１ネック部６４の一部のみ、あるいは、１フランジ部５８の一部のみを貫通して延びる構成であってもよい。
【００１７】
第２インサート部品５４は、第２上面７４及び第２下面７６を有する第２フランジ部７２、第２フランジ部７２の第２下面７６から延びる第２ネック部７８、及び、第２ネック部７８及び第２フランジ部７２を貫通して延びる第２穴８０を含む。第２穴８０の少なくとも一部は、第２ネック部７８の第２内面８４及び第２フランジ部７２の第３内面８２によって規定されている。図５に示すように、第２穴８０は、第２フランジ部７２を貫通して延びる第１部分８６の直径が、より小さく、第２ネック部７８を貫通して延びる第２部分８８の直径が、より大きい。第２穴８０の第１部分８６は、第１穴６６と実質的に同じ寸法であり、第２穴８０の第２部分８８は、第１ネック部６４の外径とほぼ等しいか、あるいはこれよりわずかに小さい内径を有する。このように、第２インサート部品５４は、第２ネック部７８の第２内面８４が、第１ネック部６４の第１外面９０に係合するように、第１インサート部品５２に対して機能的に選択配置することができるよう構成されている。例えば、高さ調節可能インサート５０は、第２ネック部７８の第２内面８４と、第１ネック部６４の第１外面９０とが、締り嵌め状態となるように構成される。この構成において（例えば、第２インサート部品５４が第１インサート部品５２に対して機能的に配置される場合）、高さ調節可能インサート５０は、第１穴６６と第２穴８０とが少なくとも実質的に同心状となるように構成される。このようにして、ボルトやその他の留め具のような二次部材９２を、高さ調節可能インサート５０内に（例えば第２穴８０を貫通して、第１穴６６内に、あるいは第１穴６６も貫通するように）挿入することがきる。このような二次部材９２は、例えば、ハードウェアやその他の構造体をサンドイッチパネル１２に固定したり、負荷をサンドイッチパネル１２に伝達したり、サンドイッチパネル１２にアイテムを固定したりするのに有用である。
【００１８】
高さ調節可能インサート５０の全高５６（第２フランジ部７２の第２上面７４と第１フランジ部５８の第１下面６２との間の垂直距離として規定される）は、第１インサート部品５２に対して第２インサート部品５４を移動させることによって、選択的に調節可能である。例えば、第２フランジ部７２が第１フランジ部５８に向かって移動するように第２インサート部品５４を移動させると、高さ調節可能インサート５０の全高５６が低くなる。例えば、高さ調節可能インサート５０の全高５６を調節するためには、第２インサート部品５４を、第１インサート部品５２に対して、実質的に長手方向に（例えば、矢印９３で示す方向に）移動させればよい。
【００１９】
高さ調節可能インサート５０は、第２フランジ部７２から延びる複数の径方向延出突起９４を含み、これらは、例えば、第２フランジ部７２の第２上面７４に隣接する部分に設けられている。例えば、径方向延出突起９４は、第２フランジ部７２の周縁領域９５に沿って、互いに離間している。（例えば、いくつかの例において、径方向延出突起９４は、第２フランジ部７２の周囲に沿って、第２上面７４に隣接する位置に、互いに離間して設けられている。）高さ調節可能インサート５０は、任意の適当な数の径方向延出突起９４を含んでいればよく、例えば、少なくとも１個、少なくとも２個、少なくとも３個、少なくとも４個、少なくとも５個、少なくとも６個、少なくとも７個、少なくとも８個、少なくとも９個、少なくとも１０個、少なくとも１２個、少なくとも１５個、少なくとも２０個、及び／又は少なくとも２５個の径方向延出突起９４を含みうる。径方向延出突起９４は、第２フランジ部７２の他の部分よりも、第２穴８０から遠くに位置するように、径方向に延びる局所的な伸張部である。径方向延出突起９４は、第２フランジ部７２に一体的に形成してもよいし、第２フランジ部７２に固定又は連結してもよい。いくつかの例において、径方向延出突起９４は、第２フランジ部７２と同じ材料によって形成してもよい。他の例において、径方向延出突起９４は、第２フランジ部７２とは異なる材料によって形成してもよい。
【００２０】
高さ調節可能インサート５０は、第２インサート部品５４を第１インサート部品５２に対して機能的に配置して、高さ調節可能インサート５０をサンドイッチパネル１２の孔２０内に取り付けた際に、第２フランジ部７２の第２上面７４が、サンドイッチパネル１２の第１外板１６又は第２外板１８のいずれかと、少なくとも実質的に面一となるように構成することができる。本明細書において、１つの面が別の面と「少なくとも実質的に面一」とは、これら２つの面が、少なくとも実質的に同一水準にあるか、あるいは互いに整列していることを指す。例えば、高さ調節可能インサート５０の面一の取り付けとは、当該インサートをサンドイッチパネルに取り付けた際に、第２フランジ部７２の第２上面７４（例えば、第２フランジ部７２の外面）が、サンドイッチパネル１２の外板の外面と、少なくとも実質的に面一となる取り付けを指す。例えば、図５に示すように、高さ調節可能インサート５０は、高さ調節可能インサート５０を孔２０内に取り付けた際に、第２フランジ部７２の第２上面７４が第１外板１６の第１外側パネル面３１と実質的に同一水準となるために、第２フランジ部７２の第２上面７４が、第１外板１６と実質的に面一となるように、構成される。
【００２１】
この少なくとも実質的に面一の取り付けを実現するため、径方向延出突起９４は、第２インサート部品５４が第１インサート部品５２に対して機能的に配置されて、高さ調節可能インサート５０がサンドイッチパネル１２の孔２０に取り付けられた際に、サンドイッチパネル１２と係合するように構成されている。（例えば、サンドイッチパネル１２に対する高さ調節可能インサート５０の向きに応じて、第１外板１６あるいは第２外板１８と係合するように構成されている。）例えば、径方向延出突起９４は、高さ調節可能インサート５０の高さを調節する際に、第２インサート部品５４がサンドイッチパネル１２に対して、面一よりも低い位置に配置される（例えば、面一の取り付け状態よりも深く孔２０内に挿入される）のを防止するように構成されている。すなわち、第２フランジ部７２が第１フランジ部５８に向かって移動するよう、第２インサート部品５４を第１インサート部品５２に対して移動させた際に、径方向延出突起９４が、第１外板１６又は第２外板１８に圧入及び係合することによって、一旦第２上面７４がサンドイッチパネル１２における対応する外板と少なくとも実質的に面一になると、高さ調節可能インサート５０の高さがそれ以上低くされることが、少なくとも実質的に防止される。径方向延出突起９４に加えて、第１ネック部６４と第２ネック部７８との間の締り嵌めも、高さ調節可能インサート５０を調節後の適切な高さに維持する（例えば、第２フランジ部７２の第２上面７４がサンドイッチパネル１２の第１外板１６又は第２外板１８と少なくとも実質的に面一となるように、高さ調節可能インサート５０を保持する）ように構成されている。
【００２２】
いくつかの例において、径方向延出突起９４の各々は、第２フランジ部７２の周面１０２から、非平行な角度１０４で延びており、当該非平行角度は、いくつかの例において、鈍角である。いくつかの例において、第２フランジ部７２は、第２上面７４に隣接する位置の直径が、第２下面７６に隣接する位置の直径より大きいか、あるいはその逆となるように、テーパー状になっている。すなわち、第２フランジ部７２の周面１０２は、孔２０に対して非平行とすることができる。同様に、第１フランジ部５８も、第１フランジ部５８の周面１０３が、孔２０に対して非平行であり、第１下面６２に隣接する位置の直径が、第１上面６０に隣接する位置の直径より大きいか、あるいはその逆となるように、テーパー状としてもよい。いくつかの例において、第２フランジ部７２の第２上面７４に隣接する位置の直径は、孔２０の直径とほぼ等しい。いくつかの例において、第２フランジ部７２の第２上面７４に隣接する位置の直径は、孔２０の直径よりわずかに小さい。このように、第２上面７４は、サンドイッチパネル１２の外面上（例えば第１外板１６の第１外側パネル面３１上）に位置するのではなく、サンドイッチパネル１２（例えばサンドイッチパネル１２の第１外板１６）と少なくとも実質的に面一となるように配置される。この状態において、径方向延出突起９４は、サンドイッチパネル１２（例えばサンドイッチパネル１２の第１外板１６）における、径方向延出突起９４の近傍部分に圧入する、あるいは、当該部分をわずかに圧縮する。
【００２３】
いくつかの例において、高さ調節可能インサート５０は、高さ調節可能インサート５０がサンドイッチパネル１２に完全に挿入された後に、高さ調節可能インサート５０がサンドイッチパネル１２に対して回転するのを防止するように構成された、１つ又は複数の回転防止部９６を含む。例えば、回転防止部９６は、テクスチャー加工面（textured surface）を含み、当該面は、孔２０内における、孔２０と高さ調節可能インサート５０との間に規定された空間９８内に注入されたポッティング剤（potting compound）又はその他の接着剤と係合しうるものである。例えば、回転防止部９６は、第２ネック部７８の第２外面１００におけるテクスチャー加工面を含む。（例えば、第２ネック部７８の第２外面１００は、テクスチャー加工が施されているか、これに加えて又はこれに代えて、テクスチャー加工用コーティングを付着あるいは接着されているかであり、これが回転防止部９６としての役割を行う。）第２ネック部７８の第２外面１００の一部又は全体を、テクスチャー加工面とすることができる。いくつかの例において、回転防止部９６は、第１フランジ部５８、第１ネック部６４、及び／又は第２フランジ部７２など、高さ調節可能インサート５０における他の部分に、テクスチャー加工面を有していてもよい。回転防止部９６は、高さ調節可能インサート５０が孔２０内に取り付けられた後に、サンドイッチパネル１２に対する高さ調節可能インサート５０の回転を防止するように構成された、高さ調節可能インサートの任意の構造又はコンポーネントを含むことができる。
【００２４】
使用に際し、高さ調節可能インサート５０は、第１インサート部品５２及び第２インサート部品５４の少なくとも一部がサンドイッチパネル１２の孔２０内に挿入された後に、当該インサートの全高５６を選択的に調節できるように構成されている。例えば、止まり孔の場合は、第１インサート部品５２を、サンドイッチパネル１２の孔２０内に入れ、第１フランジ部５８が孔２０の基部１０５（破線で示す）に隣接して位置し、第１ネック部６４が、基部１０５から遠ざかる方向に孔の内部から孔２０内を延びる状態となるように、第１インサート部品を孔２０内に配置する。貫通孔の場合は、第１インサート部品５２を、サンドイッチパネル１２の孔２０内に入れ、第１フランジ部５８がパネル外板のうちの一方に隣接して（例えば第２外板１８に隣接して）位置し、第１ネック部６４が、当該外板から他方のパネル外板に向かって孔２０内に延びる状態となるように、第１インサート部品を孔２０内に配置する。（例えば、第１ネック部６４が、第２外板１８から離れて第1外板１６に向かう方向に孔２０内に延びるか、あるいはその逆の状態とする。）これらの例において、第１フランジ部５８の第１下面６２を、サンドイッチパネル１２の一方の面と実質的に面一とすることができ、例えば、図５に示すように、第２外板１８の第２外側パネル面３５と実質的に面一とすることができる。
【００２５】
第２インサート部品５４は、第１インサート部品５２に対して機能的に配置することができる。このような、第１インサート部品５２に対する第２インサート部品５４の機能的な配置は、第１インサート部品５２を孔２０内に配置する前に行ってもよいし、後に行ってもよい。いくつかの例において、第２インサート部品５４は、第２ネック部７８が第１ネック部６４の周囲に位置する（例えば、第２ネック部７８の第２内面８４が、第１ネック部６４の第１外面９０に隣接して位置し、且つこれと係合する）ように、第１インサート部品５２に対して機能的に配置される。図５に示すように、第２インサート部品５４は、第２ネック部７８が第１インサート部品５２の第１フランジ部５８と第２インサート部品５４の第２フランジ部７２との間に位置するとともに、第２ネック部７８が（例えば、図５に示すように、孔２０の基部１０５及び／又は第２外板１８に向かって）孔２０内に延びるように、配向することができる。
【００２６】
高さ調節可能インサート５０の高さ５６を調節するためには、第２インサート部品５４を、第１インサート部品５２に対して、移動させればよい。例えば、第２インサート部品５４を下方に摺動させて、第２ネック部７８を第１ネック部６４に対して長手方向に移動させ（例えばこの際に、第２インサート部品５４に力を加える）、これによって、第２フランジ部７２が第１フランジ部５８に向かって移動し、高さ調節可能インサート５０の高さが低くなる。このように、高さ調節可能インサート５０は、インサートの両側にアクセスすることなく、調節可能である。（例えば、高さ調節可能インサート５０の高さ５６は、サンドイッチパネル１２の片面側のみから、例えば第１外板１６及び第２フランジ部７２に隣接する位置から、第２外板１８又は第１フランジ部５８にはアクセスせずに、調節可能である。）このことは、サンドイッチパネル１２の一方側にしかアクセスできない場合、及び／又は、正確なインサートのサイズを求めることが困難な場合に、有益である。
【００２７】
高さ調節可能インサート５０の高さ５６は、最大高さと最小高さとの間で調節可能である。このような最大高さと最小高さとの差は、例えば、少なくとも０．０５インチ（in）（１．２７ミリメートル（ｍｍ））、少なくとも０．１０インチ（２．５４  ｍｍ）、少なくとも０．１５インチ（３．８１  ｍｍ）、少なくとも０．２０インチ（５．０８  ｍｍ）、少なくとも０．３０インチ（７．６２  ｍｍ）、少なくとも０．４０インチ（１０．１６  ｍｍ）、少なくとも０．５インチ（１２．７  ｍｍ）、少なくとも０．６インチ（１５．２４  ｍｍ）、少なくとも０．７インチ（１７．７８  ｍｍ）、少なくとも０．８インチ（２０．３２  ｍｍ）、少なくとも０．９インチ（２２．８６  ｍｍ）、及び／又は、少なくとも１．０インチ（２５．４  ｍｍ）である。いくつかの例において、最大高さと最小高さとの差は、最大高さの少なくとも１０％、最大高さの少なくとも１５％、最大高さの少なくとも２０％、最大高さの少なくとも２５％、最大高さの少なくとも３０％、最大高さの少なくとも３５％、最大高さの少なくとも４０％、最大高さの少なくとも４５％、及び／又は、最大高さの少なくとも５０％である。
【００２８】
第１インサート部品５２及び第２インサート部品５４は、任意の適当な材料によって作製することができる。いくつかの例において、第１インサート部品５２及び／又は第２インサート部品５４は、ポリマー材料製である。いくつかの例において、第１インサート部品５２及び／又は第２インサート部品５４は、金属製である。いくつかの例の高さ調節可能インサート５０は、工具を使用することなく、サンドイッチパネル１２内に取り付けるとともに、面一の取り付けとなるように調節できる構成とするのが有利となろう。
【００２９】
サンドイッチパネル１２は、互いに離間する複数の孔２０を含みうる。いくつかの例において、少なくとも１つの孔２０が、第１外板１６と、コア１４の少なくとも一部とを貫通して形成されている。これに加えて又はこれに代えて、少なくとも１つの孔２０が、第２外板１６と、コア１４の少なくとも一部とを貫通して形成されている。いくつかの例において、少なくとも１つの孔２０は、止まり孔であり、サンドイッチパネル１２の全体は貫通していない。（例えば、孔２０は、第１外板１６を貫通し、第２外板１８向かって、コア１４の一部を貫通して延びている。）これに加えて又はこれに代えて、少なくとも１つの孔２０は、貫通孔であり、第１外板１６、第２外板１８、及びコア１４の全体を貫通して延びている。いくつかの例において、所与のサンドイッチパネル１２は、サイズ及び／又は深さの異なる複数の孔２０を含む。従って、複数の高さ調節可能インサート５０を用意し、各孔２０に、高さ調節可能インサート５０を其々取り付ける。高さ調節可能インサート５０が調節可能であることにより、同じサイズの高さ調節可能インサート５０を、複数の異なるサイズの孔に使用可能であり、各高さ調節可能インサート５０が配置される孔２０の其々の高さに応じて調節される。いくつかの例において、システムは、複数のサイズの高さ調節可能インサート５０を含みうる。この場合、比較的少ない数のサイズの高さ調節可能インサート５０を、はるかに多くのサイズの従来のインサートの代わりに用いることができる。
【００３０】
１つ又は複数の孔２０は、いくつかの例において、少なくとも実質的に円筒形である。（例えば、１つ又は複数の孔２０は、実質的に円形の断面領域を有する。）これに加えて又はこれに代えて、１つ又は複数の孔２０は、楕円形、長円形、矩形、三角形、多角形、及び／又は、不規則形状の断面領域などの、他の断面領域を有していてもよい。高さ調節可能インサート５０を孔２０内に配置した後に、ポッティング剤、即時硬化性化合物、及び／又は、紫外線硬化性化合物のような接着剤が、コア１４と高さ調節可能インサート５０との間（例えば、コア１４と高さ調節可能インサート５０の回転防止部９６との間）に装入（例えば注入）される。例えば、ポッティング剤は、１つ又は複数の１つ又は複数の開口１０６（図１１に示す）から注入され、これによって、ポッティング剤は、空間９８内の、第２インサート部品５４の第２ネック部７８に隣接する部分に装入される。このポッティング剤が硬化することによって、高さ調節可能インサート５０を、孔２０内の適所にさらに確実に固定することができる。
【００３１】
図６〜図１２を参照すると、高さ調節可能インサート及びそのコンポーネント又は部分の例示的且つ非排他的な例が示されている。図５の概略図で用いた参照番号を適宜用いることによって、図６〜図１２の対応部分を示しているが、図６〜図１２の例は、非排他的であり、高さ調節可能インサートを、図６〜図１２に例示した実施形態に限定するものではない。すなわち、高さ調節可能インサート５０は、図６〜図１２の特定の実施形態に限定されるものではなく、図５の概略図に示すとともに同図を参照して説明した、高さ調節可能インサートにおける任意の数の様々な局面、構成、特徴、特性などや、図６〜図１２の実施形態ならびにそれらの変形例を組み込むことができ、その際に、そのような局面、構成、特徴、特性などのすべてを含むことを必要とするわけではない。簡潔化のために、前述したコンポーネント、部品、部分、局面、領域など、又はそれらの変形例については、図６〜図１２に関連付けて再度説明、図示、及び／又は、符号付けしない場合がある。ただし、前述した部分、変形例などを、図６〜図１２の実施形態に用いることは、本開示の範囲内である。
【００３２】
図６〜図１２は、高さ調節可能インサート５１（又はその部分又はコンポーネント）を示しており、当該インサートは、図５の高さ調節可能インサート５０の一例である。図６は、第１インサート部品５２の一例を示しており、当該第１インサート部品は、第１ネック部６４及び第１フランジ部５８を貫通する第１穴６６を有するものである。図７は、第２インサート部品５４の一例を示しており、当該第２インサート部品は、第２フランジ部７２及び第２ネック部７８を貫通する第２穴８０を有するものである。第２ネック部７８の第２外面１００は、テクスチャー加工面として示されており、当該面は、第２インサート部品５４が第１インサート部品５２に対して機能的に配置され、サンドイッチパネルの孔（例えば図５のサンドイッチパネル１２の孔２０）内に取り付けられた後は、回転防止部９６としての役割を行う。
【００３３】
図８は、図６の第１インサート部品５２に対して機能的に配置された図７の第２インサート部品５４を示し、図９は、図８の高さ調節可能インサート５１の、図８の線９−９に沿う断面図を示している。図８〜図９に示すように、第２インサート部品５４は、第２ネック部７８の第２内面８４が、第１インサート部品５２の第１ネック部６４の第１外面９０と摺動可能に係合するように、第１インサート部品５２に対して機能的に配置される。配置された状態では、第１穴６６と第２穴８０とは、少なくとも実質的に同心状であり、内部に二次部材（例えば図５の二次部材９２）を挿入できるようになっている。図８〜図９は、高さ調節可能インサート５１が組み付けられた際に（例えば、図示のように、第２インサート部品５４が第１インサート部品５２に対して機能的に配置された際に）、最大の機能組み付け高さ１０８を有する配置状態の高さ調節可能インサート５１を示しており、当該高さは、第２インサート部品５４の第２上面７４と第１インサート部品５２の第１下面６２との間の垂直距離として測定することができる。第２ネック部７８の第２内面８４が第１ネック部６４の第１外面９０に重なる長さを表す重なり領域１１０は、調節可能インサート５１の用途やサイズに応じた、所望の最小長さとなっている。
【００３４】
高さ調節可能インサート５１の高さは、例えば第１インサート部品５２に対して第２インサート部品５４を移動させることによって、調節される。例えば、第２フランジ部７２が第１フランジ部５８に向かって移動するように第２インサート部品５４を移動させることによって、高さ調節可能インサート５１の高さを低くすることができる。いくつかの例において、第２インサート部品５４に、例えば矢印１１２で示す方向に力を加えることによって、第２インサート部品５４の第２フランジ部７２を、第１インサート部品５２の第１フランジ部５８に向かって移動させることができる。図１０は、高さ調節可能インサート５１を組み付けて、高さ調節可能インサート５１の全高をできるだけ低くした際に（例えば、図９の矢印１１２に沿って、第２インサート部品５４を第１インサート部品５２に向かって移動させた際に）、最小の機能組み付け高さ１１４を有する配置状態の高さ調節可能インサート５１を示しており、当該高さは、第２インサート部品５４の第２上面７４と第１インサート部品５２の第１下面６２との間の垂直距離として測定することができる。高さ調節可能インサート５１は、図９に示す最大の機能組み付け高さ１０８と、図１０に示す最小の機能組み付け高さとの間（これらの最大値及び最小値を含む）の任意の高さに、選択的に調節可能である。図１０に示すように全高を低くした配置状態では、第１外面９０と第２内面８４との重なりの長さが大きいため、図１０の重なり領域１１０は、図９の重なり領域１１０より長い。いくつかの例において、図１０に示すように、機能組み付け高さが最小の配置状態では、第１ネック部６４の第１ネック上面１１６は、第２フランジ部７２に対して、係合、接触、及び／又は隣接配置の状態となる。ただし、いくつかの実施形態において、機能組み付け高さが最小の配置状態でも、第１ネック上面１１６と第２フランジ部７２との間に間隙が存在しうる。
【００３５】
図１１は、図８〜図１０の高さ調節可能インサート５１の上面図であり、第２フランジ部７２の周縁領域９５に配置された径方向延出突起９４の間隔の一例を、より明瞭に示している。図１１は、６個の径方向延出突起９４を有する例を示しているが、径方向延出突起９４の数は、これより多くても少なくてもよい。図１１に示すように、径方向延出突起９４は、第２フランジ部７２の周縁領域９５に沿って略等間隔で設けられているが、この配置は必須ではない。径方向延出突起９４は、いくつかの例において、複数の部分集合にグループ化あるいは集合させてもよいし、これに加えてあるいはこれに代えて、互いに不均一な間隔で配置してもよい。図１１には、さらに、２つの開口１０６も示している。これらの開口があることによって、高さ調節可能インサート５１をサンドイッチパネルの孔内に配置した後に、ポッティング剤（又は他の接着剤）を注入するためのアクセスが可能である。（例えば、図５に示すように、ポッティング剤は、孔２０と高さ調節可能インサートとの間の空間９８に装入される。）
【００３６】
図１２は、図７に示したような第２インサート部品５４の第２フランジ部７２の一部をクローズアップして示したものであり、１つの径方向延出突起９４を、より詳細に示している。各径方向延出突起９４は、突起上面１１８及び傾斜面１２０を有しうる。突起上面１１８は、第２フランジ部７２の第２上面７４と少なくとも実質的に平行であり、傾斜面１２０は、突起上面１１８に対して、突起角度１２２を成している。いくつかの例において、突起角度１２２は、鋭角である。いくつかの例において、突起角度１２２は、直角又は鈍角である。図１２に示すように、いくつかの例において、突起上面１１８は、第２フランジ部７２の第２上面７４と連続している。図１２は、径方向延出突起９４の特定の一例を示しているが、他の多くの形状及び構成が可能であり、本開示による径方向延出突起９４は、図１２に示した特定の例に限定されない。径方向延出突起９４は、サンドイッチパネルと係合して、サンドイッチパネル内の面一状態より低い位置にインサートが取り付けられるのを実質的に防止するように構成されたものであれば、任意のサイズ又は形状のものであってよい。
【００３７】
図１２に示すように、径方向延出突起９４は、第２フランジ部７２の高さ１２４の一部のみに沿って延びる構成とすることができる。例えば、径方向延出突起９４は、第２フランジ部７２の第２上面７４に隣接して位置しているが、第２フランジ部７２の第２下面７６に隣接する位置には存在していない。いくつかの例において、径方向延出突起９４は、棘状（barbed）、あるいは、鉤状（hooked）であってよい。いくつかの例において、径方向延出突起９４には、テクスチャー加工が施されてもよい。いくつかの例において、図８に最もよく表れているように、径方向延出突起９４は、第２フランジ部７２の第２上面７４に隣接する位置では幅が広く、第２フランジ部７２の第２下面７６に向かうにつれて、幅が狭くなっている。いくつかの例において、図８に示すように、径方向延出突起は、それぞれ、第２フランジ部７２の周面１０２上に位置する点１２６において、収束している。例えば、いくつかの例において、少なくともいくつかの径方向延出突起９４は、実質的に三角形である。いくつかの例において、図８〜図１０及び図１２に示すように、径方向延出突起９４は、第２フランジ部７２の高さ１２４の半分未満に沿って延びている。径方向延出突起９４は、第２フランジ部７２の長軸に対して非平行であってもよい。いくつかの例において、図８に示すように、径方向延出突起９４の最大幅１２５（例えば周縁領域９５に隣接する位置における寸法）は、径方向延出突起の高さ１２７より大きい。
【００３８】
図１３は、本開示による複数の高さ調節可能インサートのシステム２００の概略図を示している。例えば、システム２００は、１つ又は複数の第１高さ調節可能インサート２０２（高さ調節可能インサート５０の一例である）、及び、１つ又は複数の第２高さ調節可能インサート２０４（高さ調節可能インサート５０の一例である）を含む。各第１高さ調節可能インサート２０２は、第１高さ調節可能インサート２０２の第１インサート部品に対して、対応する第２インサート部品を機能的に配置した際に、第１最大全高と第１最小全高との間で調節可能である。同様に、各第２高さ調節可能インサート２０４は、第２高さ調節可能インサート２０４の第１インサート部品に対して、対応する第２インサート部品を機能的に配置した際に、第２最大全高と第２最小全高との間で調節可能である。
【００３９】
第１最小全高と第２最小全高とは、互いに異なりうる。例えば、システム２００において、第２高さ調節可能インサート２０４は、第１高さ調節可能インサート２０２よりも「大きな」サイズを有しており、これによって、第２最小全高が、第１最小全高より大きい。いくつかの例において、インサートのそれぞれのサイズにいくつかの重複があってもよい。例えば、第２最小全高は、第１最小全高と第１最大全高との間の高さであってもよい。また、第２最大全高が、第１最大全高より大きく、これによって、例えば、各第２高さ調節可能インサート２０４は、各第１高さ調節可能インサート２０２に比べて、より深さの大きい孔に面一状態の取り付けができるように調節可能であってもよい。いくつかのシステム２００において、サイズの異なる高さ調節可能インサートは、サイズに加えて又はこれに代えて、フランジ径も互いに異なっており、これにより、異なる径の孔に使用できるように構成されていてもよい。
【００４０】
所与のシステム２００における其々のサイズのインサートは、高さ調節可能インサートの最小全高と最大全高との差として規定される調節範囲を有している。例えば、第１高さ調節可能インサート２０２は、第１最大全高と第１最小全高との差に等しい第１調節範囲を有している。同様に、第２高さ調節可能インサート２０４は、第２最大全高と第２最小全高との差に等しい第２調節範囲を有している。いくつかの例において、第２調能範囲は、第１調節範囲よりも大きい。
【００４１】
システム２００は、１つ又は複数の第３高さ調節可能インサート２０６（高さ調節可能インサート５０の一例である）を含みうる。第３高さ調節可能インサートは、当該第３高さ調節可能インサート２０６の第１インサート部品に対して、対応する第２インサート部品を機能的に配置した際に、第３最小全高及び第３最大全高との間で調節可能である。第３最小全高は、第１高さ調節可能インサート２０２の第１最小全高と異なっていてもよく、これに加えて又はこれに代えて、第２高さ調節可能インサート２０４の第２最小全高と異なっていてもよい。これに加えて又はこれに代えて、第３最大全高は、第１高さ調節可能インサート２０２の第１最大全高、及び／又は、第２高さ調節可能インサート２０４の第２最大全高と異なっていてもよい。いくつかの例において、第３最小全高は、第１最小全高より大きいか、第２最小全高より大きいか、第２最大全高より小さいか、のうちの１つ又は複数の条件を満たすものであってもよい。これに加えて又はこれに代えて、第３最大全高は、第２最大全高及び第１最大全高より大きくてもよい。
【００４２】
システム２００は、任意の数のインサート、及び、任意のサイズの種類数のインサートを含みうる。ただし、概して、システム２００は、同じ孔の集合に対して、従来のインサートを用いた場合に必要となるよりも少ない種類のサイズの高さ調節可能インサートを含んでいればよい。例えば、所与のサンドイッチパネルが、１０種類のサイズの孔を含んでおり、１０種類のサイズの従来のインサートを必要とする場合でも、本開示による高さ調節可能インサートであれば、１種類又は２種類のサイズの高さ調節可能インサートのみを用いて、これら１０種類のサイズの孔に適切に対応することができる。必要なサイズの種類数の当該割合は、例示のみを目的としたものであり、決して限定するものではない。
【００４３】
図１４は、本開示による例示的且つ非排他的な方法３００を表す概略フローチャートである。図１４において、破線のボックスで示している工程があるが、これは、このような工程が任意のものであるか、或いは、本開示による方法の任意の態様に対応するものであることを示している。しかしながら、本開示によるすべての方法が、実線のボックスで示した工程を必ずしも含む必要はない。本明細書における説明から理解されるように、図１４に示した方法及び工程は、限定的なものではなく、図示の工程数より多い工程又は少ない工程を有する方法も含め、他の方法及び工程も、本開示の範囲内である。
【００４４】
図１４に示すように、概して、本開示による方法３００は、３０１にて、高さ調節可能インサート（例えば高さ調節可能インサート５０）を用意すること、３０２にて、サンドイッチパネル（例えばサンドイッチパネル１２の孔２０）に高さ調節可能インサートを取り付けること、及び／又は、３０４にて、高さ調節可能インサートの高さを調節すること、を含みうる。いくつかの方法３００において、３０２にて高さ調節可能インサートを取り付けることは、１つ又は複数のサンドイッチパネルに形成された複数の孔の各々に、複数の高さ調節可能インサートを其々取り付けることを含みうる。３０２にて高さ調節可能インサートを取り付けることは、３０６にて、第１インサート部品の第１ネック部（例えば第１ネック部６４）の少なくとも一部が、孔内に位置するように、第１インサート部品（例えば第１インサート部品５２）を各孔に取り付けることと、３０８にて、第２インサート部品（例えば第２インサート部品５４）を第１インサート部品に対して機能的に配置することとを含む。いくつかの方法において、３０８にて第２インサート部品を機能的に配置することは、第２ネック部（例えば第２ネック部７８）の少なくとも一部が孔内に位置するように、各孔に第２インサート部品を取り付けることを含みうる。
【００４５】
いくつかの方法において、３０６にて孔に第１インサート部品を取り付けることは、３０８にて第１インサート部品に対して第２インサート部品を機能的に配置することより前に行われる。（例えば、第１インサート部品を孔内に配置し、次に、第２インサート部品を孔内に配置する。）例えば、３０６にて第１インサート部品を取り付けることは、第１インサート部品の第１フランジ部（例えば第１フランジ部５８）が孔の基部（例えば孔２０の基部１０５）又はサンドイッチパネルの外板（例えば第１外板１６又は第２外板１８)に隣接して位置し、第１ネック部が孔の基部又は対応するパネル外板から離れる方向に孔内を延びるように、第１インサート部品を孔内に配置することを含みうる。いくつかの方法において、第１インサート部品をこのように配置した後に、第１インサート部品の第１フランジ部と第２インサート部品の第２フランジ部（例えば第２フランジ部７２）との間に第２ネック部が位置するように（例えば、第２ネック部が、孔の基部及び／又は対応するパネル外板に向かって孔内を延びるように）、第２インサート部品が配置される。
【００４６】
いくつかの方法において、３０６にて孔に第１インサート部品を取り付けることは、３０８にて第１インサート部品に対して第２インサート部品を機能的に配置することより後に行われる。（例えば、第２部品の少なくとも一部を第１インサート部品上に位置させるなどして、第２部品を機能的に配置し、次に、第１インサート部品と第２インサート部品とのアセンブリをサンドイッチパネルの孔に挿入する。）いくつかの方法において、第１インサート部品に対して第２インサート部品を機能的に配置することは、第２インサート部品の第２穴（例えば第２穴８０）が、第１インサート部品の第１穴（例えば第１穴６６）と少なくとも実質的に同心状となるように、第２インサート部品を配置することを含む。
【００４７】
３０４にて高さ調節可能インサート３０４の高さを調節することは、複数の径方向延出突起（例えば径方向延出突起９４）が、３１０にてサンドイッチパネルに係合するまで（例えば、サンドイッチパネル１２の第１外板１６又は第２外板１８といったサンドイッチパネルの外板に、径方向延出突起が圧入するまで）、３１２にて締り嵌め状態の係合となるまで、及び／又は、第２インサート部品の第２フランジ部の第２上面（例えば第２フランジ部７２の第２上面７４）が、サンドイッチパネルの外面（例えば第１外側パネル面３１又は第２外側パネル面３５）と少なくとも実質的に面一となるまで、高さを調節することを含みうる。いくつかの方法において、３１２にて締り嵌め状態で係合させることは、第１インサート部品の第１ネック部と第２インサート部品の第２ネック部などの、第１インサート部品と第２インサート部品とを、締り嵌め状態で係合させることを含む。３０４にて高さ調節可能インサートの高さを調節することは、３１４にて、第２インサート部品の第２フランジ部を、第１インサート部品の第１フランジ部に向かって押圧することを含みうる。例えば、第２インサート部品が第１インサート部品に対して移動するとともに第２フランジ部が第１フランジ部に向かって移動するように、第２インサート部品（例えば、第２上面７４といった、第２インサート部品の第２フランジ部の第２上面）に力を加え、これによって、高さ調節可能インサートの全高を低くすることができる。いくつかの方法３００において、３１４にて第２インサート部品の第２フランジ部を、第１インサート部品の第１フランジ部に向かって押圧することは、第２インサート部品の第２ネック部を、第１インサート部品の第１フランジ部に対して、第１フランジ部に向かって移動させることを含む。
【００４８】
いくつかの方法３００は、３１６にて、サンドイッチパネルに少なくとも１つの孔を形成することを含みうる。３１６において孔を形成することは、所与のサンドイッチパネルに複数の孔を形成することを含みうる。３１６にて孔を形成することは、サンドイッチパネルの第１外板（例えば第１外板１６）及び第２外板（例えば第２外板１８）のうちの一方又は両方、ならびに、サンドイッチパネルのコア（例えばコア１４）の少なくとも一部を貫通する穴を形成することを含みうる。いくつかの方法３００において、３１６にて少なくとも１つの孔を形成することは、自動で行われてもよい。３１６にて少なくとも１つの孔を形成することは、少なくとも１つの止まり孔（例えば、サンドイッチパネルの一方のみの外板と、コアの一部のみとを貫通する孔）を形成すること、及び／又は、少なくとも１つの貫通孔（例えば、サンドイッチパネルの両方の外板及びコア全体を貫通する孔）を形成すること、を含みうる。いくつかの方法３００において、３１６にて少なくとも１つの孔を形成することは、ドリリング(drilling）、ミリング（milling）、及び／又は、打抜き（punching）を含む。いくつかの方法３００において、３１６にて少なくとも１つの孔を形成することは、円形の断面領域を有する孔を少なくとも１つ形成することを含む。これに加えて又はこれに代えて、３１６にて少なくとも１つの孔を形成することは、多角形、長円形、及び／又は、不規則形状の断面領域を有する孔といった、非円形の断面領域を有する孔を少なくとも１つ形成することを含みうる。
【００４９】
方法３００は、３１８にて、ポッティング剤又はその他の接着剤を、孔と高さ調節可能インサートとの間の空間（例えば空間９８）内に注入することを含みうる。３１８にてポッティング剤を注入することは、高さ調節可能インサートを孔内に配置した後（例えば、第２インサート部品を第１インサート部品に対して機能的に配置した後）で、且つ、高さ調節可能インサートの高さを調節した後に、行われうる。例えば、ポッティング剤は、第２インサート部品に形成された１つ又は複数の１つ又は複数の開口（例えば開口１０６）から注入され、孔内における、第２インサート部品５４の第２ネック部７８に隣接する部分に装入される。３１８にてポッティング剤を注入することには、ポッティング剤を注入すること、即時硬化性接着剤を注入すること、紫外線硬化性接着剤を注入すること、及び／又は、孔内における高さ調節可能インサートの固定をより確実にするように構成された任意の他の化合物を注入すること、を含みうる。いくつかの方法３００において、３１８にてポッティング剤を注入することは、例えば、ポッティング剤が、第２ネック部におけるテクスチャー加工された外面（例えば第２ネック部７８の第２外面１００）に隣接するなど、高さ調節可能インサートの回転防止部（例えば回転防止部９６）に隣接するように注入することを含みうる。
【００５０】
これに加えて又はこれに代えて、方法３００は、３２０にて、二次部材（例えば二次部材９２）を、高さ調節可能インサートに、（例えば第１穴（例えば第１穴６６）及び第２穴（例えば第２穴８０）に）挿入することをさらに含みうる。二次部材は、留め具、ボルト、ピン、ワイヤ、及び／又は、高さ調節可能インサートを介して局所的負荷をサンドイッチパネルに伝達するように構成された任意の他の物体又は構造体を含みうる。
【００５１】
本開示による方法３００においては、所与のサンドイッチパネルに、任意の数の高さ調節可能インサートを取り付けることができる。いくつかの方法３００において、高さ調節可能インサートは、工具無しで取り付けるように構成することができる。（例えば、工具を使用せずに、３０２においてインサートを取り付け、３０４においてその高さを調節することができる。）いくつかの方法において、３０２において高さ調節可能インサートを取り付けること、及び／又は、３０４において高さ調節可能インサートの高さを調節することは、自動で行うことができる。いくつかの方法３００において、少なくとも１つの高さ調節可能インサートを、サンドイッチパネルの一方側に隣接させて（例えば第１外板に隣接させて）取り付けるとともに、少なくとも１つの高さ調節可能インサートを、当該サンドイッチパネルの他方側に隣接させて（例えば第２外板に隣接させて）取り付けることができる。いくつかの方法３００において、サンドイッチパネルの反対側にアクセスすることなく、複数の高さ調節可能インサートを、サンドイッチパネルの一方側のみから取り付け、これらのインサートの高さを調節することができる。いくつかの方法３００において、複数種類のサイズの高さ調節可能インサートを、これらのインサートよりもサイズの種類数の多い孔に、面一となるように取り付けることができる。
【００５２】
本明細書において、「選択的」又は「選択的に」という用語が、装置の１つもしくは複数のコンポーネント又は要素の動作、動き、構成、又は他の働きを修飾するものである場合は、そのような特定の動作、動き、構成又は他の働きが、装置の態様又は１つもしくは複数のコンポーネントをユーザーが操作することの直接又は間接的な結果であることを意味する。
【００５３】
本開示による発明の要旨の非排他的な例を、以下に項として列挙する。
【００５４】
項Ａ１．第１インサート部品及び第２インサート部品を含む、高さ調節可能インサートであって、
前記第１インサート部品は、
第１上面及び第１下面を有する第１フランジ部と、
前記第１フランジ部の前記第１上面から延びる第１ネック部と、
少なくとも前記第１ネック部を貫通して延びるとともに、前記第１ネック部の第１内面によって少なくとも一部が規定されている第１穴と、を含み、前記第１ネック部は、前記第１内面の反対側の第１外面を含み、
前記第２インサート部品は、
第２上面及び第２下面を有する第２フランジ部と、
前記第２フランジ部の前記第２下面から延びる第２ネック部と、
前記第２ネック部及び第２フランジ部を貫通して延びるとともに、前記第２ネック部の第２内面によって一部が規定されている第２穴と、を含み、
前記第２インサート部品は、前記第２ネック部の前記第２内面が、前記第１ネック部の前記第１外面と締り嵌め状態で係合するように、選択的に、前記第１インサート部品に対して機能的に配置されるように構成されており、
前記高さ調節可能インサートは、選択的に全高を調節可能であり、前記第２フランジ部が前記第１フランジ部に向かって移動するように前記第２インサート部品を前記第１インサート部品に対して移動させると、前記高さ調節可能インサートの全高が低くなるように構成とされており、
前記高さ調節可能インサートの前記全高は、前記第２フランジ部の前記第２上面と前記第１フランジ部の前記第１下面との間の垂直距離として規定されており、
前記第２インサート部品が前記第１インサート部品に対して機能的に配置されると、前記第１穴と前記第２穴とが、少なくとも実質的に同心状となる、高さ調節可能インサート。
【００５５】
項Ａ１．１．  前記第２フランジ部の前記第２上面に隣接する部分に設けられた、前記第２フランジ部から延びる複数の径方向延出突起をさらに含む、項Ａ１に記載の高さ調節可能インサート。
【００５６】
項Ａ１．２．  前記高さ調節可能インサートは、前記第１穴及び前記第２穴内に二次部材を挿入できるように構成されており、前記二次部材は、前記高さ調節可能インサートを介して、前記高さ調節可能インサートが取り付けられたサンドイッチパネルに、局所的負荷を伝達するように構成されている、項Ａ１又はＡ１．１に記載の高さ調節可能インサート。
【００５７】
項Ａ１．３．  前記高さ調節可能インサートは、サンドイッチパネルの孔に取り付けられるように構成されており、前記サンドイッチパネルは、第１外板、前記第１外板の反対側の第２外板、及び、これらの間のコアを含む、項Ａ１〜Ａ１．２のいずれかに記載の高さ調節可能インサート。
【００５８】
項Ａ２．  前記高さ調節可能インサートが前記サンドイッチパネル内に完全に挿入され、前記サンドイッチパネルの孔にポッティング剤が注入された後における、サンドイッチパネルに対する前記高さ調節可能インサートの回転を防止するように構成された回転防止部をさらに含む、項Ａ１〜Ａ１．３のいずれかに記載の高さ調節可能インサート。
【００５９】
項Ａ３．  前記回転防止部は、テクスチャー加工面を含む、項Ａ２に記載の高さ調節可能インサート。
【００６０】
項Ａ４．  前記第２インサート部品が、前記テクスチャー加工面を含む、項Ａ３に記載の高さ調節可能インサート。
【００６１】
項Ａ５．  前記テクスチャー加工面は、前記第２インサート部品の前記第２ネック部の少なくとも一部を形成している、項Ａ４に記載の高さ調節可能インサート。
【００６２】
項Ａ６．  前記第１穴は、前記第１フランジ部を貫通して延びている、項Ａ１〜Ａ５のいずれかに記載の高さ調節可能インサート。
【００６３】
項Ａ７．  複数の径方向延出突起は、前記第２フランジ部の周縁に、互いに離間して設けられている、項Ａ１〜Ａ６のいずれかに記載の高さ調節可能インサート。
【００６４】
項Ａ７．１．  複数の径方向延出突起のうちの少なくともいくつかは、前記第２フランジ部の長軸に対して非平行である、項Ａ１〜Ａ７のいずれかに記載の高さ調節可能インサート。
【００６５】
項Ａ７．２  複数の径方向延出突起における各径方向延出突起は、其々の最大幅及び高さを有しており、前記複数の径方向延出突起のうちの少なくともいくつかは、最大幅が高さより大きい、項Ａ１〜Ａ７．１のいずれかに記載の高さ調節可能インサート。
【００６６】
項Ａ７．３  複数の径方向延出突起のうちの少なくともいくつかは、前記第２フランジ部の高さの一部のみに沿って延びている、項Ａ１〜Ａ７．２のいずれかに記載の高さ調節可能インサート。
【００６７】
項Ａ７．４．  複数の径方向延出突起のうちの少なくともいくつかは、前記第２フランジ部の高さの半分未満に沿って延びている、項Ａ１〜Ａ７．３のいずれかに記載の高さ調節可能インサート。
【００６８】
項Ａ７．５．  複数の径方向延出突起のうちの少なくともいくつかは、前記第２フランジ部の前記第２上面には隣接するが、前記第２フランジ部の前記第２下面には隣接しない位置に設けられている、項Ａ１〜Ａ７．４のいずれかに記載の高さ調節可能インサート。
【００６９】
項Ａ７．６．  複数の径方向延出突起のうちの少なくともいくつかは、前記第２フランジ部の前記第２上面に隣接する位置では幅がより広く、前記第２フランジ部の前記第２下面に向かって延びるにつれて幅が狭くなっている、項Ａ１〜Ａ７．５のいずれかに記載の高さ調節可能インサート。
【００７０】
項Ａ７．７．  複数の径方向延出突起のうちの少なくとも１つの径方向延出突起は、前記第２フランジ部の周面上の対応する一点において収束している、項Ａ１〜Ａ７．６のいずれかに記載の高さ調節可能インサート。
【００７１】
項Ａ７．８．  複数の径方向延出突起のうちの少なくとも１つの径方向延出突起は、実質的に三角形である、項Ａ１〜Ａ７．７のいずれかに記載の高さ調節可能インサート。
【００７２】
項Ａ８．  前記高さ調節可能インサートは、前記第２インサート部品が前記第１インサート部品に対して機能的に配置されるとともに、前記高さ調節可能インサートがサンドイッチパネルの孔に取り付けられた際に、複数の径方向延出突起が、前記サンドイッチパネルの第１外板及び第２外板のうちの一方に係合するように構成されている、項Ａ１〜Ａ７．８のいずれかに記載の高さ調節可能インサート。
【００７３】
項Ａ９．  前記高さ調節可能インサートは、前記第２インサート部品が前記第１インサート部品に対して機能的に配置されるとともに、前記高さ調節可能インサートがサンドイッチパネルの孔に取り付けられた際に、複数の径方向延出突起が、前記サンドイッチパネルのコアに係合するように構成されている、項Ａ１〜Ａ８のいずれかに記載の高さ調節可能インサート。
【００７４】
項Ａ１０．  前記高さ調節可能インサートは、前記第２インサート部品が前記第１インサート部品に対して機能的に配置されるとともに、前記高さ調節可能インサートがサンドイッチパネルの孔に取り付けられた際に、第２フランジ部の前記第２上面が、前記サンドイッチパネルの第１外板及び第２外板のうちの一方と少なくとも実質的に面一となるように構成されている、項Ａ１〜Ａ９のいずれかに記載の高さ調節可能インサート。
【００７５】
項Ａ１０．１．  前記高さ調節可能インサートは、前記第２インサート部品が前記第１インサート部品に対して機能的に配置されるとともに、前記高さ調節可能インサートがサンドイッチパネルの孔に取り付けられた際に、前記第２フランジ部の前記第２上面が、前記サンドイッチパネルと少なくとも実質的に面一となる状態、及び／又は、複数の径方向延出突起が前記サンドイッチパネルのコアに係合する状態に一旦調節されると、その全高を少なくとも実質的に維持するように構成されている、項Ａ１〜Ａ１０のいずれかに記載の高さ調節可能インサート。
【００７６】
項Ａ１１．  複数の径方向延出突起は、前記第２インサート部品が前記第１インサート部品に対して機能的に配置されるとともに、前記高さ調節可能インサートがサンドイッチパネルの孔に取り付けられた際に、前記第２フランジ部の前記第２上面が、前記サンドイッチパネルの第１外板及び第２外板のうちの一方に対して、面一状態より低い位置に配置されるのを防止するように構成されている、項Ａ１〜Ａ１０．１のいずれかに記載の高さ調節可能インサート。
【００７７】
項Ａ１２．  複数の径方向延出突起は、少なくとも２個の径方向延出突起、少なくとも３個の径方向延出突起、少なくとも４個の径方向延出突起、少なくとも５個の径方向延出突起、少なくとも６個の径方向延出突起、少なくとも７個の径方向延出突起、少なくとも８個の径方向延出突起、少なくとも９個の径方向延出突起、及び／又は、少なくとも１０個の径方向延出突起を含む、項Ａ１〜Ａ１１のいずれかに記載の高さ調節可能インサート。
【００７８】
項Ａ１３．  複数の径方向延出突起の各々は、前記第２フランジ部の周面から、非平行角度で延びている、項Ａ１〜Ａ１２のいずれかに記載の高さ調節可能インサート。
【００７９】
項Ａ１４．  前記非平行角度は、鈍角である、項Ａ１３に記載の高さ調節可能インサート。
【００８０】
項Ａ１５．  前記第２フランジ部は、前記第２フランジ部の前記第２上面に隣接する位置における第１直径が、前記第２フランジ部の前記第２下面に隣接する位置における第２直径より大きくなるように、テーパー状となっている、項Ａ１〜Ａ１４のいずれかに記載の高さ調節可能インサート。
【００８１】
項Ａ１６．  複数の径方向延出突起の各々は、突起上面及び傾斜面を有し、前記突起上面は、前記第２フランジ部の前記第２上面に対して少なくとも実質的に平行であり、前記突起上面は、前記傾斜面とともに、突起角度を形成している、項Ａ１〜Ａ１５のいずれかに記載の高さ調節可能インサート。
【００８２】
項Ａ１７．  前記突起角度は、鋭角である、項Ａ１６に記載の高さ調節可能インサート。
【００８３】
項Ａ１８．  前記突起上面は、前記第２フランジ部の前記第２上面と連続している、項Ａ１６又はＡ１７に記載の高さ調節可能インサート。
【００８４】
項Ａ１９．  前記高さ調節可能インサートは、一旦前記第１インサート部品及び前記第２インサート部品の少なくとも一部がサンドイッチパネルの孔に挿入された後に、前記高さ調節可能インサートの前記全高を調節できるように構成されている、項Ａ１〜Ａ１８のいずれかに記載の高さ調節可能インサート。
【００８５】
項Ａ２０．  前記第１インサート部品及び前記第２インサート部品は、ポリマー材料製である、項Ａ１〜Ａ１９のいずれかに記載の高さ調節可能インサート。
【００８６】
項Ａ２１．  前記高さ調節可能インサートは、前記全高が、最小高さと最大高さとの間で調節可能な構成とされており、前記最小高さと前記最大高さとの差は、少なくとも０．０５インチ（in）（１．２７ミリメートル（ｍｍ））、少なくとも０．１０インチ（２．５４  ｍｍ）、少なくとも０．１５インチ（３．８１  ｍｍ）、少なくとも０．２０インチ（５．０８  ｍｍ）、少なくとも０．３０インチ（７．６２  ｍｍ）、少なくとも０．４０インチ（１０．１６  ｍｍ）、少なくとも０．５インチ（１２．７  ｍｍ）、少なくとも０．６インチ（１５．２４  ｍｍ）、少なくとも０．７インチ（１７．７８  ｍｍ）、少なくとも０．８インチ（２０．３２  ｍｍ）、少なくとも０．９インチ（２２．８６  ｍｍ）、及び／又は、少なくとも１．０インチ（２５．４  ｍｍ）である、項Ａ１〜Ａ２０のいずれかに記載の高さ調節可能インサート。
【００８７】
項Ａ２２．  前記高さ調節可能インサートは、前記全高が、最小高さと最大高さとの間で調節可能な構成とされており、前記最大高さと前記最小高さとの差は、前記最大高さの少なくとも１０％、前記最大高さの少なくとも１５％、前記最大高さの少なくとも２０％、前記最大高さの少なくとも２５％、前記最大高さの少なくとも３０％、前記最大高さの少なくとも３５％、前記最大高さの少なくとも４０％、前記最大高さの少なくとも４５％、及び／又は、前記最大高さの少なくとも５０％である、項Ａ１〜Ａ２１のいずれかに記載の高さ調節可能インサート。
【００８８】
項Ａ２３．  前記高さ調節可能インサートは、前記第２インサート部品に力を加えて前記第２フランジ部７２を前記第１フランジ部に向かって移動させることにより、前記全高を調節できるように構成されている、項Ａ１〜Ａ２２のいずれかに記載の高さ調節可能インサート。
【００８９】
項Ａ２４．  前記高さ調節可能インサートは、前記第１インサート部品の前記第１フランジ部にアクセスすることなく前記全高を調節できるように構成されている、項Ａ１〜Ａ２３のいずれかに記載の高さ調節可能インサート。
【００９０】
項Ａ２５．  前記高さ調節可能インサートは、第１外板及び第２外板のうちの一方のみにアクセス可能な状態で、サンドイッチパネルに挿入されるように構成されている、項Ａ１〜Ａ２４のいずれかに記載の高さ調節可能インサート。
【００９１】
項Ａ２５．１．  前記第２フランジ部の前記第２上面に隣接する位置における第１直径が、サンドイッチパネル内の孔の孔径よりわずかに小さい、項Ａ１〜Ａ２５のいずれかに記載の高さ調節可能インサート。
【００９２】
項Ａ２６．  前記第２フランジ部の前記第２上面に隣接する位置における第１直径が、サンドイッチパネル内の孔の孔径にほぼ等しい、項Ａ１〜Ａ２５のいずれかに記載の高さ調節可能インサート。
【００９３】
項Ｂ１．  第１外板、第２外板、コア、少なくとも１つの孔、及び、少なくとも１つの高さ調節可能インサート、を含むサンドイッチパネルであって、
前記第１外板は、第１内面、及び、前記第１内面の反対側の第１外面を有し、
前記第２外板は、第２内面、及び、前記第２内面の反対側の第２外面を有し、前記第１外面と前記第２外面とは互いに反対側を向いており、
前記コアは、前記第１外板の前記第１内面と、前記第２外板の前記第２内面との間に挟まれており、
前記少なくとも１つの孔は、前記第１外板及び第２外板のうちの少なくとも一方に形成されるとともに、前記コア内に延びており、
前記少なくとも１つの高さ調節可能インサートの各々は、前記サンドイッチパネルの前記少なくとも１つの孔に其々取り付けられた、項Ａ１〜Ａ２６のいずれかに記載の高さ調節可能インサートである、サンドイッチパネル。
【００９４】
項Ｂ１．１．  前記少なくとも１つの孔は、前記第１外板に形成されるとともに、前記第２外板に向かって前記コア内に延びている、項Ｂ１に記載のサンドイッチパネル。
【００９５】
項Ｂ１．２．  前記少なくとも１つの孔は、前記第２外板に形成されるとともに、前記第１外板に向かって前記コア内に延びている、項Ｂ１又はＢ１．１に記載のサンドイッチパネル。
【００９６】
項Ｂ２．  前記少なくとも１つの高さ調節可能インサートは、複数の高さ調節可能インサートを含み、前記複数の高さ調節可能インサートの各々は、前記少なくとも１つの孔のうちの対応する１つに取り付けられている、項Ｂ１〜Ｂ１．２のいずれかに記載のサンドイッチパネル。
【００９７】
項Ｂ３．  前記コアは、発泡体、アルミニウム、ノーメックス[登録商標]（アラミド）、炭素、コレックス（Korex）、ケブラー[登録商標]、ガラス繊維、ポリエーテルスルホン、ポリ塩化ビニル、ポリウレタン、ポリエチレンフォーム、ポリスチレンフォーム、バルサ材、シンタクチックフォーム、ハニカム構造体、ポリマーハニカム、熱可塑性ハニカム、ステンレス鋼、ポリカーボネート、及び、ポリプロピレンのうちの１つ又は複数を含む、項Ｂ１〜Ｂ２のいずれかに記載のサンドイッチパネル。
【００９８】
項Ｂ４．  前記第１外板は、ガラス繊維強化ポリマーの積層体、熱硬化性ポリマー、エポキシ、金属薄板、炭素、アラミド、アルミニウム、鋼、合板、バルサ、チーク材、及び、硬材のうちの１つ又は複数を含む、項Ｂ１〜Ｂ３のいずれかに記載のサンドイッチパネル。
【００９９】
項Ｂ５．  前記第２外板は、ガラス繊維強化ポリマーの積層体、熱硬化性ポリマー、エポキシ、金属薄板、炭素、アラミド、アルミニウム、鋼、合板、バルサ、チーク材、及び、硬材のうちの１つ又は複数を含む、項Ｂ１〜Ｂ４のいずれかに記載のサンドイッチパネル。
【０１００】
項Ｂ６．  前記サンドイッチパネルは、複合パネルである、項Ｂ１〜Ｂ５のいずれかに記載のサンドイッチパネル。
【０１０１】
項Ｂ７．  前記コアは、ハニカムコアである、項Ｂ１〜Ｂ６のいずれかに記載のサンドイッチパネル。
【０１０２】
項Ｂ７．１．  前記コアは、独立気泡構造を含む、項Ｂ１〜Ｂ７のいずれかに記載のサンドイッチパネル。
【０１０３】
項Ｂ７．２．  前記コアは、連続気泡構造を含む、項Ｂ１〜Ｂ７．１のいずれかに記載のサンドイッチパネル。
【０１０４】
項Ｂ８．  前記少なくとも１つの高さ調節可能インサートの複数の径方向延出突起のうちの少なくともいくつかは、前記第１外板と係合している、項Ｂ１〜Ｂ７．２のいずれかに記載のサンドイッチパネル。
【０１０５】
項Ｂ９．  前記少なくとも１つの高さ調節可能インサートの複数の径方向延出突起のうちの少なくともいくつかは、前記第２外板と係合している、項Ｂ１〜Ｂ８のいずれかに記載のサンドイッチパネル。
【０１０６】
項Ｂ１０．  前記少なくとも１つの高さ調節可能インサートの反対側の端部は、前記サンドイッチパネルの前記コア内に埋設されている、項Ｂ１〜Ｂ９のいずれかに記載のサンドイッチパネル。
【０１０７】
項Ｂ１１．  前記少なくとも１つの高さ調節可能インサートの前記第２フランジ部の前記第２上面は、前記第１外板の前記第１外面と少なくとも実質的に面一である、項Ｂ１〜Ｂ１０のいずれかに記載のサンドイッチパネル。
【０１０８】
項Ｂ１１．１．  前記少なくとも１つの高さ調節可能インサートの前記第１フランジ部の前記第１下面は、前記第２外板の前記第２外面と少なくとも実質的に面一である、項Ｂ１１に記載のサンドイッチパネル。
【０１０９】
項Ｂ１２．  前記少なくとも１つの高さ調節可能インサートの前記第２フランジ部の前記第２上面は、前記第２外板の第２外面と少なくとも実質的に面一である、Ｂ１〜Ｂ１１．１のいずれかに記載のサンドイッチパネル。
【０１１０】
項Ｂ１２．１．  前記少なくとも１つの高さ調節可能インサートの前記第１フランジ部の前記第１下面は、前記第１外板の前記第１外面と少なくとも実質的に面一である、項Ｂ１２に記載のサンドイッチパネル。
【０１１１】
項Ｂ１３．  前記少なくとも１つの孔は、複数の孔を含み、前記複数の孔の各々は、前記第１外板および前記第２外板のうちの少なくとも一方から前記コア内に延びており、前記少なくとも１つの高さ調節可能インサートは、複数の高さ調節可能インサートを含み、前記複数の高さ調節可能インサートのうちの少なくとも1つは、前記複数の孔のうちの対応する孔に取り付けられている、項Ｂ１〜Ｂ１２．１のいずれかに記載のサンドイッチパネル。
【０１１２】
項Ｂ１４．  前記少なくとも１つの孔の各々は、前記コアの少なくとも一部を貫通して形成された実質的に円筒形の孔である、項Ｂ１〜Ｂ１３のいずれかに記載のサンドイッチパネル。
【０１１３】
項Ｂ１５．  前記サンドイッチパネルの前記コアと、前記少なくとも１つの高さ調節可能インサートの前記第２ネック部との間に装入されたポッティング剤、即時硬化性化合物、及び、紫外線硬化性化合物のうちの１つ又は複数をさらに含む、項Ｂ１〜Ｂ１４のいずれかに記載のサンドイッチパネル。
【０１１４】
項Ｂ１６．  前記サンドイッチパネルの前記コアと、前記少なくとも１つの高さ調節可能インサートの回転防止部との間に装入されたポッティング剤、即時硬化性化合物、及び、紫外線硬化性化合物のうちの１つ又は複数をさらに含む、項Ｂ１〜Ｂ１５のいずれかに記載のサンドイッチパネル。
【０１１５】
項Ｃ１．  項Ｂ１〜Ｂ１６のいずれかに記載のサンドイッチパネルを少なくとも１つ含む装置。
【０１１６】
項Ｃ２．  前記装置は、航空機、衛星、アンテナ、輸送車両、輸送コンテナ、自動車、及び、シェルターのうちの１つ又は複数である、項Ｃ１に記載の装置。
【０１１７】
項Ｃ３．  前記サンドイッチパネルは、前記装置における、床、ギャレー、内部主要構造体、二次構造体、内壁、荷物入れ、頭上荷物棚、トイレ、カプセルパネル、ノーズコーン、計器エンクロージャ、隔壁パネル、カーテンウォール、パーティション、及び、分割パネルのうちの１つ又は複数の一部を形成している、項Ｃ１〜Ｃ２のいずれかに記載の装置。
【０１１８】
項Ｄ１．  サンドイッチパネルに高さ調節可能インサートを取り付ける方法であって、
前記サンドイッチパネルの少なくとも１つの孔の各々に、項Ａ１〜Ａ２６のいずれかに記載の少なくとも１つの高さ調節可能インサートを取り付け、その際に、前記高さ調節可能インサートの前記第１ネック部の少なくとも一部及び前記第２ネック部の少なくとも一部を、前記サンドイッチパネルのコア内の前記各孔内に位置させ、
前記高さ調節可能インサートの複数の径方向延出突起が前記サンドイッチパネルに係合するまで、及び／又は、前記第２フランジ部の前記第２上面が前記サンドイッチパネルの外面と少なくとも実質的に面一となるまで、前記高さ調節可能インサートの高さを調節する、方法。
【０１１９】
項Ｄ１．１  前記サンドイッチパネルに前記少なくとも１つの孔を形成することをさらに含み、前記サンドイッチパネルは、第１内面及びその反対側の第１外面を有する第１外板と、第２内面及びその反対側の第２外面を有する、前記第１外板の反対側の第２外板とを有し、前記第１外面と前記第２外面とは互いに反対側を向いており、前記コアは、前記第１外板の前記第１内面と前記第２外板の前記第２内面との間に挟まれており、
前記少なくとも１つの孔を形成するに際して、前記第１外板及び前記第２外板のうちの少なくとも一方を貫通して前記コア内に延びるように、少なくとも1つの孔を形成する、項Ｄ１に記載の方法。
【０１２０】
項Ｄ１．２．  前記サンドイッチパネルに前記少なくとも１つの孔を形成することは、自動で行われる、項Ｄ１．１に記載の方法。
【０１２１】
項Ｄ２．  前記少なくとも１つの孔を形成するに際して、前記サンドイッチパネルの前記コアの厚みの一部内のみに延びる少なくとも１つの止まり孔を形成する、項Ｄ１．１又はＤ１．２に記載の方法。
【０１２２】
項Ｄ３．  前記少なくとも１つの孔を形成するに際して、前記サンドイッチパネルに複数の止まり孔を形成する、項Ｄ１．１〜Ｄ２のいずれかに記載の方法。
【０１２３】
項Ｄ４．  前記少なくとも１つの孔を形成するに際して、前記サンドイッチパネルの前記第１外板、前記第２外板、及び前記コアの厚みを貫通して延びる、少なくとも１つの貫通孔を形成する、項Ｄ１．１〜Ｄ３のいずれかに記載の方法。
【０１２４】
項Ｄ５．  前記少なくとも１つの孔を形成することは、ドリリング、ミリング、及び、打抜きのうちの１つ又は複数を含む、項Ｄ１．１〜Ｄ４のいずれかに記載の方法。
【０１２５】
項Ｄ６．  前記少なくとも１つの孔を形成するに際して、前記サンドイッチパネルの前記コアの厚みの少なくとも一部を貫通する少なくとも１つの円形孔を形成する、項Ｄ１．１〜Ｄ５のいずれかに記載の方法。
【０１２６】
項Ｄ７．  前記少なくとも１つの孔を形成するに際して、複数の孔を形成し、前記少なくとも１つの高さ調節可能インサートを取り付けるに際して、複数の高さ調節可能インサートを取り付け、前記複数の高さ調節可能インサートの各々は、前記複数の孔の各々に取り付けられる、項Ｄ１．１〜Ｄ６のいずれかに記載の方法。
【０１２７】
項Ｄ７．１．  前記少なくとも１つの高さ調節可能インサートの前記複数の径方向延出突起は、前記サンドイッチパネルの第１外板に係合する、項Ｄ１〜Ｄ７のいずれかに記載の方法。
【０１２８】
項Ｄ７．２．  前記少なくとも１つの高さ調節可能インサートの前記複数の径方向延出突起は、前記サンドイッチパネルの第２外板に係合する、項Ｄ１〜Ｄ７．１のいずれかに記載の方法。
【０１２９】
項Ｄ８．  少なくとも１つの二次部材を、前記少なくとも１つの高さ調節可能インサートの各々の前記第１穴及び第２穴内に挿入することをさらに含み、前記少なくとも１つの二次部材は、前記高さ調節可能インサートを介して、局所的負荷を前記サンドイッチパネルに伝達するように構成されている、項Ｄ１〜Ｄ７．２のいずれかに記載の方法。
【０１３０】
項Ｄ９．  ポッティング剤、即時硬化性接着剤、及び、紫外線硬化性接着剤のうちの1つ又は複数を、前記各孔内における、前記高さ調節可能インサートの前記第２ネック部と、前記サンドイッチパネルの前記コアとの間の空間に注入することをさらに含む、項Ｄ１〜Ｄ８のいずれかに記載の方法。
【０１３１】
項Ｄ９．１．  ポッティング剤、即時硬化性接着剤、及び、紫外線硬化性接着剤のうちの1つ又は複数を、前記少なくとも１つの孔の各々内における、前記高さ調節可能インサートの回転防止部に隣接する位置に注入することを含む、項Ｄ１〜Ｄ９のいずれかに記載の方法。
【０１３２】
項Ｄ１０．  前記少なくとも１つの高さ調節可能インサートを、前記少なくとも１つの孔の各々に取り付けることは、自動で行われる、Ｄ１〜Ｄ９．１のいずれかに記載の方法。
【０１３３】
項Ｄ１１．  前記少なくとも１つの高さ調節可能インサートを、前記少なくとも１つの孔の各々に取り付けるに際して、前記第１インサート部品に対して前記第２インサート部品を機能的に配置する、項Ｄ１〜Ｄ１０のいずれかに記載の方法。
【０１３４】
項Ｄ１１．１．  前記少なくとも１つの高さ調節可能インサートを取り付けるに際して、まず、前記第１インサート部品を前記各孔に挿入し、次に、前記第２ネック部の前記第２内面の少なくとも一部が前記第１ネック部の前記第１外面上に位置するように、前記第２インサート部品を前記各孔に挿入する、項Ｄ１１に記載の方法。
【０１３５】
項Ｄ１２．  前記少なくとも１つの高さ調節可能インサートを、前記少なくとも１つの孔の各々に取り付けるに際して、前記第１穴と前記第２穴とが実質的に同心状となるように、前記第２インサート部品を前記第１インサート部品に対して配置する、項Ｄ１〜Ｄ１１．１のいずれかに記載の方法。
【０１３６】
項Ｄ１３．  前記少なくとも１つの高さ調節可能インサートを、前記少なくとも１つの孔の各々に取り付けるに際して、前記第１ネック部が前記孔内から孔内を延びるように、前記第１フランジ部を前記孔の基部に隣接させて配置する、項Ｄ１〜Ｄ１２のいずれかに記載の方法。
【０１３７】
項Ｄ１３．１．  前記少なくとも１つの高さ調節可能インサートを、前記少なくとも１つの孔の各々に取り付けるに際して、前記第１ネック部が、前記第１外板及び第２外板のうちの一方に向かって前記孔内を延びるように、前記第１フランジ部を、前記サンドイッチパネルの第１外板又は第２外板に隣接させて配置する、項Ｄ１〜Ｄ１３のいずれかに記載の方法。
【０１３８】
項Ｄ１４．  前記少なくとも１つの高さ調節可能インサートを、前記少なくとも１つの孔の各々に取り付けるに際して、前記第２ネック部が、前記第１インサート部品の前記第１フランジ部と前記第２インサート部品の前記第２フランジ部との間に位置するように、前記第２インサート部品を配置する、項Ｄ１〜Ｄ１３．１のいずれかに記載の方法。
【０１３９】
項Ｄ１５．  前記高さ調節可能インサートの前記高さを調節するに際して、前記第２フランジ部の前記第２上面が、前記サンドイッチパネルの第１外板及び第２外板のうちの一方の外面と少なくとも実質的に面一となるまで、前記高さ調節可能インサートの前記高さを調節する、項Ｄ１〜Ｄ１４のいずれかに記載の方法。
【０１４０】
項Ｄ１６．  前記高さ調節可能インサートの前記高さを調節するに際して、前記第２フランジ部を、前記第１フランジ部に向かって相対移動させる、項Ｄ１〜Ｄ１５のいずれかに記載の方法。
【０１４１】
項Ｄ１７．  前記高さ調節可能インサートの前記高さを調節するに際して、前記第２ネック部を、前記第１フランジ部に向かって相対移動させる、項Ｄ１〜Ｄ１６のいずれかに記載の方法。
【０１４２】
項Ｄ１８．  前記高さ調節可能インサートの前記高さを調節するに際して、前記第１ネック部と前記第２ネック部とを締り嵌め状態で係合させる、項Ｄ１〜Ｄ１７のいずれかに記載の方法。
【０１４３】
項Ｄ１９．  前記高さ調節可能インサートの前記高さを調節するに際して、少なくとも１つの高さ調節可能インサートにおける前記複数の径方向延出突起を、前記サンドイッチパネルの第１外板内に圧入する、項Ｄ１〜Ｄ１８のいずれかに記載の方法。
【０１４４】
項Ｄ２０．  前記高さ調節可能インサートの前記高さを調節するに際して、少なくとも１つの高さ調節可能インサートにおける前記複数の径方向延出突起を、前記サンドイッチパネルの第２外板内に圧入する、項Ｄ１〜Ｄ１９のいずれかに記載の方法。
【０１４５】
項Ｄ２１．  前記高さ調節可能インサートの前記高さを調節するに際して、前記高さ調節可能インサートの全高を低くする、項Ｄ１〜Ｄ１８のいずれかに記載の方法。
【０１４６】
項Ｅ１．  前記高さ調節可能インサートがサンドイッチパネル内に取り付けられた際に、前記高さ調節可能インサートの前記第１穴及び前記第２穴内に二次部材を挿入して、前記高さ調節可能インサートを介して、局所的負荷を前記サンドイッチパネルに伝達する、項Ａ１〜Ａ２６のいずれかに記載の高さ調節可能インサートの使用法。
【０１４７】
項Ｆ１．  航空機、衛星、アンテナ、輸送車両、輸送コンテナ、自動車、及び、シェルターのうちの１つ又は複数の一部を作製する、項Ｂ１〜Ｂ１６いずれかに記載のサンドイッチパネルの使用法。
【０１４８】
項Ｇ１．  複数の第１高さ調節可能インサート及び複数の第２高さ調節可能インサートを含むシステムであって、
前記複数の第１高さ調節可能インサートの各々は、項Ａ１〜Ａ２６のいずれかに記載の高さ調節可能インサートであって、各第１高さ調節可能インサートにおける前記第２インサート部品が、前記第１インサート部品に対して機能的に配置された際に、第１最小全高及び第１最大全高を有することができ、
前記複数の第２高さ調節可能インサートの各々は、項Ａ１〜Ａ２６のいずれかに記載の高さ調節可能インサートであって、各第２高さ調節可能インサートにおける前記第２インサート部品が、前記第１インサート部品に対して機能的に配置された際に、第２最小全高及び第２最大全高を有することができ、
各第２高さ調節可能インサートの前記第２最小全高は、各第１高さ調節可能インサートの前記第１最小全高より大きく、各第２高さ調節可能インサートの前記第２最大全高は、各第１高さ調節可能インサートの前記第１最大全高より大きい、システム。
【０１４９】
項Ｇ２．  各第２高さ調節可能インサートの第２調節範囲は、各第１高さ調節可能インサートの第１調節範囲より大きく、前記第２調節範囲は、前記第２最大全高と前記第２最小全高との差として規定され、前記第１調節範囲は、前記第１最大全高と前記第１最小全高との差として規定される、項Ｇ１に記載のシステム。
【０１５０】
項Ｇ３．  複数の第３高さ調節可能インサートをさらに含み、前記複数の第３高さ調節可能インサートの各々は、項Ａ１〜Ａ２６のいずれかに記載の高さ調節可能インサートであって、各第３高さ調節可能インサートにおける前記第２インサート部品が、前記第１インサート部品に対して機能的に配置された際に、第３最小全高及び第３最大全高を有することができ、
各第３高さ調節可能インサートの前記第３最小全高は、各第２高さ調節可能インサートの前記第２最小全高より大きく、各第３高さ調節可能インサートの前記第３最大全高は、各第２高さ調節可能インサートの前記第２最大全高より大きい、項Ｇ１又はＧ２に記載のシステム。
【０１５１】
項Ｈ１．  第１インサート部品及び第２インサート部品を含む高さ調節可能インサートであって、前記第１インサート部品は、第１上面及び第１下面を有する第１フランジ部と、前記第１フランジ部の前記第１上面から延びる第１ネック部と、少なくとも前記第１ネック部を貫通して延びるとともに、前記第１ネック部の第１内面によって少なくとも一部が規定された第１穴とを含み、前記第１ネック部は、前記第１内面の反対側の第１外面を含み、前記第２インサート部品は、第２上面及び第２下面を有する第２フランジ部と、前記第２フランジ部の前記第２下面から延びる第２ネック部と、前記第２ネック部及び前記第２フランジ部を貫通して延びるとともに、前記第２ネック部の第２内面によって一部が規定された第２穴と、前記第２フランジ部の前記第２上面に隣接する位置に設けられた、前記第２フランジ部から延びる複数の径方向延出突起と、を含み、前記複数の径方向延出突起は、前記第２フランジ部の周縁に、互いに離間して設けられており、前記複数の径方向延出突起のうちの少なくともいくつかは、前記第２フランジ部の高さの半分未満に沿って延びており、前記第２インサート部品は、前記第２ネック部の前記第２内面が、前記第１ネック部の前記第１外面と締り嵌め状態で係合するように、前記第１インサート部品に対して機能的に選択配置されるように構成されており、前記高さ調節可能インサートは、選択的に全高を調節可能であり、前記第２フランジ部が前記第１フランジ部に向かって移動するように前記第２インサート部品を前記第１インサート部品に対して移動させると、前記高さ調節可能インサートの全高が低くなるように構成とされており、前記高さ調節可能インサートの前記全高は、前記第２フランジ部の前記第２上面と前記第１フランジ部の前記第１下面との間の垂直距離として規定されており、前記第２インサート部品が前記第１インサート部品に対して機能的に配置されると、前記第１穴と前記第２穴とが、少なくとも実質的に同心状となる、高さ調節可能インサート。
【０１５２】
項Ｈ２．  前記高さ調節可能インサートは、サンドイッチパネルの孔内に取り付けられるように構成されており、前記高さ調節可能インサートは、前記高さ調節可能インサートが前記サンドイッチパネルの前記孔内に挿入され、前記孔にポッティング剤が注入された後における、前記サンドイッチパネルに対する前記高さ調節可能インサートの回転を防止するように構成された回転防止部をさらに含む、項Ｈ１に記載の高さ調節可能インサート。
【０１５３】
項Ｈ３．  前記回転防止部は、テクスチャー加工面を含み、前記テクスチャー加工面は、前記第２インサート部品の前記第２ネック部の少なくとも一部を形成している、項Ｈ２に記載の高さ調節可能インサート。
【０１５４】
項Ｈ４．  前記第１穴は、前記第１フランジ部を貫通して延びている、項Ｈ１〜Ｈ３のいずれかに記載の高さ調節可能インサート。
【０１５５】
項Ｈ５．  複数の径方向延出突起における各径方向延出突起は、其々の最大幅及び高さを有しており、前記複数の径方向延出突起のうちの少なくともいくつかは、最大幅が高さより大きい、項Ｈ１〜Ｈ４のいずれかに記載の高さ調節可能インサート。
【０１５６】
項Ｈ６．  前記高さ調節可能インサートは、サンドイッチパネルの孔内に取り付けられるように構成されており、前記サンドイッチパネルは、第１外板、前記第１外板の反対側の第２外板、及び、これらの間のコアを含み、前記高さ調節可能インサートは、前記第２インサート部品が前記第１インサート部品に対して機能的に配置されるとともに、前記高さ調節可能インサートが前記サンドイッチパネルの前記孔に取り付けられた際に、複数の径方向延出突起が、前記サンドイッチパネルの前記第１外板及び前記第２外板のうちの一方に係合するように構成されている、項Ｈ１〜Ｈ５のいずれかに記載の高さ調節可能インサート。
【０１５７】
項Ｈ７．  前記高さ調節可能インサートは、前記第２インサート部品が前記第１インサート部品に対して機能的に配置されるとともに、前記高さ調節可能インサートが前記サンドイッチパネルの前記孔に取り付けられた際に、前記第２フランジ部の前記第２上面が、前記サンドイッチパネルの前記第１外板及び前記第２外板のうちの一方と少なくとも実質的に面一となるように構成されている、項Ｈ６に記載の高さ調節可能インサート。
【０１５８】
項Ｈ８．  前記複数の径方向延出突起は、前記第２インサート部品が前記第１インサート部品に対して機能的に配置されるとともに、前記高さ調節可能インサートが前記サンドイッチパネルの前記孔に取り付けられた際に、前記第２フランジ部の前記第２上面が、前記サンドイッチパネルの前記第１外板及び前記第２外板のうちの一方に対して、面一状態より低い位置に配置されるのを防止するように構成されている、項Ｈ６に記載の高さ調節可能インサート。
【０１５９】
項Ｈ９．  前記第２フランジ部は、前記第２フランジ部の前記第２上面に隣接する位置における第１直径が、前記第２フランジ部の前記第２下面に隣接する位置における第２直径より大きくなるように、テーパー状となっている、項Ｈ１〜Ｈ８のいずれかに記載の高さ調節可能インサート。
【０１６０】
項Ｈ１０．  前記第２フランジ部の前記第２上面に隣接する位置における前記第１直径は、前記高さ調節可能インサートが取り付けられるサンドイッチパネル内の孔の孔径よりわずかに小さい、項Ｈ９に記載の高さ調節可能インサート。
【０１６１】
項Ｈ１１．  前記複数の径方向延出突起の各々は、突起上面及び傾斜面を有し、前記突起上面は、前記第２フランジ部の前記第２上面に対して少なくとも実質的に平行であり、前記突起上面は、前記傾斜面とともに、突起角度を形成しており、前記突起角度は鋭角である、Ｈ１〜Ｈ１０のいずれかに記載の高さ調節可能インサート。
【０１６２】
項Ｈ１２．  前記高さ調節可能インサートは、一旦前記第１インサート部品及び前記第２インサート部品の少なくとも一部がサンドイッチパネルの孔に挿入された後に、前記高さ調節可能インサートの前記全高を調節できるように構成されている、項Ｈ１〜Ｈ１２のいずれかに記載の高さ調節可能インサート。
【０１６３】
項Ｉ１．  サンドイッチパネルに形成された孔に高さ調節可能インサートを取り付ける方法であって、前記孔内に高さ調節可能インサートを取り付けることと、前記高さ調節可能インサートの高さを調節することと、を含み、前記高さ調節可能インサートは、第１インサート部品及び第２インサート部品を含み、前記第１インサート部品は、第１上面及び第１下面を有する第１フランジ部と、前記第１フランジ部の前記第１上面から延びる第１ネック部と、少なくとも前記第１ネック部を貫通して延びるとともに、前記第１ネック部の第１内面によって少なくとも一部が規定された第１穴とを含み、前記第１ネック部は、前記第１内面の反対側の第１外面を含み、前記第２インサート部品は、第２上面及び第２下面を有する第２フランジ部と、前記第２フランジ部の前記第２下面から延びる第２ネック部と、前記第２ネック部及び前記第２フランジ部を貫通して延びるとともに、前記第２ネック部の第２内面によって一部が規定された第２穴と、前記第２フランジ部の前記第２上面に隣接する位置に設けられた、前記第２フランジ部から延びる複数の径方向延出突起と、を含み、前記複数の径方向延出突起は、前記第２フランジ部の周縁に、互いに離間して設けられており、前記複数の径方向延出突起のうちの少なくともいくつかは、前記第２フランジ部の高さの半分未満に沿って延びており、前記第２インサート部品は、前記第２ネック部の前記第２内面が、前記第１ネック部の前記第１外面と締り嵌め状態で係合するように、前記第１インサート部品に対して機能的に選択配置されるように構成されており、前記高さ調節可能インサートは、前記高さ調節可能インサートの前記第１ネック部の少なくとも一部及び前記第２ネック部の少なくとも一部が前記サンドイッチパネルの前記孔内に位置するように、前記孔内に取り付けられ、前記高さ調節可能インサートの高さを調節するに際して、前記高さ調節可能インサートの前記複数の径方向延出突起が前記サンドイッチパネルに係合するとともに、前記第２フランジ部の前記第２上面が前記サンドイッチパネルの外面と少なくとも実質的に面一となるまで、前記高さ調節可能インサートの高さを調節する、方法。
【０１６４】
項Ｉ２．  前記サンドイッチパネルに複数の孔を形成することをさらに含み、前記サンドイッチパネルは、第１内面及びその反対側の第１外面を有する第１外板と、第２内面及びその反対側の第２外面を有する、前記第１外板の反対側の第２外板と、コアとを有し、前記第１外面と前記第２外面とは互いに反対側を向いており、前記コアは、前記第１外板の前記第１内面と前記第２外板の前記第２内面との間に挟まれており、前記複数の孔を形成するに際して、前記第１外板及び前記第２外板のうちの少なくとも一方を貫通して前記コア内に延びるように、前記複数の孔を形成し、前記少なくとも１つの高さ調節可能インサートを取り付けることは、複数の高さ調節可能インサートを取り付けることを含み、その際に、前記複数の高さ調節可能インサートの各々が、前記複数の孔の各々に取り付けられるようにする、項Ｉ１に記載の方法。
【０１６５】
項Ｉ３．  前記高さ調節可能インサートを前記孔に取り付けるに際して、前記第１ネック部が、前記サンドイッチパネルの第１外板に向かって前記孔内を延びるように、前記第１フランジ部を前記サンドイッチパネルの第２外板に隣接させて配置し、前記第１インサート部品の前記第１フランジ部と第２インサート部品の前記第２フランジ部との間に前記第２ネック部が位置するように、前記第２インサート部品を配置する、項Ｉ１に記載の方法。
【０１６６】
項Ｉ４．  前記高さ調節可能インサートを前記孔に取り付けるに際して、まず、前記第１インサート部品を前記孔に挿入し、次に、前記第２ネック部の前記第２内面の少なくとも一部が前記第１ネック部の前記第１外面上に位置するように、且つ、前記第１穴と前記第２穴とが実質的に同心状となるように、前記第２インサート部品を前記孔に挿入する、項Ｉ１〜Ｉ３のいずれかに記載の方法。
【０１６７】
項Ｉ５．  前記高さ調節可能インサートの前記高さを調節するに際して、前記複数の径方向延出突起が、前記サンドイッチパネルの第１外板及び第２外板のうちの一方に圧入されるまで、前記高さ調節可能インサートの前記高さを調節する、Ｉ１〜Ｉ４のいずれかに記載の方法。
【０１６８】
項Ｉ６．  前記高さ調節可能インサートの前記高さを調節するに際して、前記第２フランジ部を、前記第１フランジ部に向かって相対移動させ、前記第１ネック部と前記第２ネック部とを締り嵌め状態で係合させる、項Ｉ１〜Ｉ５のいずれかに記載の方法。
【０１６９】
項Ｊ１．  複数の第１高さ調節可能インサート及び複数の第２高さ調節可能インサートを含むシステムであって、前記複数の第２高さ調節可能インサートの各々、及び、前記複数の第１高さ調節可能インサートの各々は、第１インサート部品及び第２インサート部品を含み、前記第１インサート部品は、第１上面及び第１下面を有する第１フランジ部と、前記第１フランジ部の前記第１上面から延びる第１ネック部と、少なくとも前記第１ネック部を貫通して延びるとともに、前記第１ネック部の第１内面によって少なくとも一部が規定された第１穴とを含み、前記第１ネック部は、前記第１内面の反対側の第１外面を含み、前記第２インサート部品は、第２上面及び第２下面を有する第２フランジ部と、前記第２フランジ部の前記第２下面から延びる第２ネック部と、前記第２ネック部及び前記第２フランジ部を貫通して延びるとともに、前記第２ネック部の第２内面によって一部が規定された第２穴と、前記第２フランジ部の前記第２上面に隣接する位置に設けられた、前記第２フランジ部から延びる複数の径方向延出突起と、を含み、前記第２インサート部品は、前記第２ネック部の前記第２内面が、前記第１ネック部の前記第１外面と締り嵌め状態で係合するように、前記第１インサート部品上に配置されるように構成されており、各第１高さ調節可能インサートは、各第１高さ調節可能インサートにおける前記第２インサート部品が、前記第１インサート部品に対して機能的に配置された際に、第１最小全高及び第１最大全高を有することができ、各第２高さ調節可能インサートは、各第２高さ調節可能インサートにおける前記第２インサート部品が、前記第１インサート部品に対して機能的に配置された際に、第２最小全高及び第２最大全高を有することができ、各第２高さ調節可能インサートの前記第２最小全高は、各第１高さ調節可能インサートの前記第１最小全高より大きく、各第２高さ調節可能インサートの前記第２最大全高は、各第１高さ調節可能インサートの前記第１最大全高より大きい、システム。
【０１７０】
本明細書において、「適合化されている」及び「構成されている」という用語は、要素、コンポーネント、又は他の要部が、所与の機能を行うように設計及び／又は意図されていることを意味する。従って、「適合化されている」及び「構成されている」という用語の使用は、ある要素、コンポーネント、又は他の要部が、単に所定の機能を行うことが「可能である」ということを意味すると解釈されるべきではなく、当該要素、コンポーネント、及び／又は他の要部が、その機能を行うために、具体的に、選択、作製、実施、利用、プログラム、及び／又は設計されていることを意味すると解釈されるべきである。また、本開示の範囲においては、特定の機能を行うように適合化されたものとして説明された要素、コンポーネント、及び／又は他の要部は、追加的又は代替的に、当該機能を行うように構成されたものとして説明することもでき、その逆も成りたつ。同様に、特定の機能を行うように構成されたものとして説明された要部は、追加的又は代替的に、当該機能を行うように動作するものとして説明することもできる。
【０１７１】
本明細書に開示した、種々の装置の要素及び方法の工程が、本開示による装置及び方法のすべてに必要であるというわけではなく、本開示は、本明細書で開示した種々の要素及び工程の新規且つ非自明の組み合わせ及び部分的組み合わせを、すべて含むものである。また、本明細書に開示した種々の要素及び工程の１つ又は複数は、開示された装置又は方法の全体とは切り離された独立した発明の要旨を規定する場合がある。従って、そのような発明の要旨は、本明細書に明示的に開示した特定の装置及び方法と関連付けられている必要はなく、そのような発明の要旨は、本明細書に明示的に開示されていない装置及び／又は方法に有用性を見出すかもしれない。
【図１】
2017172792.tif 000003
【図２】
2017172792.tif 000004
【図３】
2017172792.tif 000005
【図４】
2017172792.tif 000006
【図５】
2017172792.tif 000007
【図６】
2017172792.tif 000008
【図７】
2017172792.tif 000009
【図８】
2017172792.tif 000010
【図９】
2017172792.tif 000011
【図１０】
2017172792.tif 000012
【図１１】
2017172792.tif 000013
【図１２】
2017172792.tif 000014
【図１３】
2017172792.tif 000015
【図１４】
2017172792.tif 000016
【外国語明細書】
2017172792000001.pdf
2017172792000002.pdf
2017172792000003.pdf
2017172792000004.pdf